(57)【要約】  同期信号(SS)とブロードキャストチャネル送信とが(たとえば、時間的に)その中で送信され得るSSバーストセットパターンを提供する、ワイヤレス通信のための方法、システム、およびデバイスについて説明する。基地局は、たとえば、帯域幅制約された通信システム内でSSブロック送信に関する位置(たとえば、時間ロケーション)を指示するSSバーストセットパターンを識別することができる。SSバーストセットパターンは、SSおよび非SSに関連する数秘学またはサブキャリア間隔に基づいて決定され得る。基地局は、SSバーストセットパターンの指示をワイヤレスデバイスに送信し得る。ワイヤレスデバイスは、SSバーストセットパターンの指示を受信し、SS(たとえば、SSブロックの1次同期信号(PSS)、2次同期信号(SSS)、物理ブロードキャストチャネル(PBCH))の1つまたは複数の時間ロケーションを決定し得る。ワイヤレスデバイスは、次いで、SSに関して識別された位置を監視し得る。
2020534738.tif 000002
【特許請求の範囲】
【請求項１】
ユーザ機器(UE)におけるワイヤレス通信のための方法であって、
同期信号(SS)バーストセットパターンの指示を受信するステップと、
前記受信された指示に少なくとも部分的に基づいて、1つまたは複数のSSの時間ロケーションを決定するステップと
を含む、方法。
【請求項２】
前記SSバーストセットパターンの前記受信された指示に少なくとも部分的に基づいて、SSブロックの1つまたは複数のセットを監視するための位置を識別するステップと、
SSブロックの前記1つまたは複数のセットに関して前記識別された位置を監視するステップと
をさらに含む、請求項1に記載の方法。
【請求項３】
前記SSバーストセットパターンの前記指示を受信する前記ステップが、
スロットのセットに関するスロット占有パターンの指示を受信するステップであって、前記スロット占有パターンが、SSブロックの前記1つまたは複数のセットのSSブロックを含むスロットの前記セットの1つまたは複数のスロットを指示する、受信するステップ
を含む、請求項2に記載の方法。
【請求項４】
SSブロックの前記1つまたは複数のセットのSSブロックのセットが、1次同期信号(PSS)シンボル、2次同期信号(SSS)シンボル、1つまたは複数の物理ブロードキャストチャネル(PBCH)シンボル、および前記1つまたは複数のPBCHシンボルの1つまたは複数の復調基準信号(DMRS)を含む、請求項2に記載の方法。
【請求項５】
SSシンボルの前記セットの順序が、前記PSSシンボル、その後に前記1つまたは複数のPBCHシンボルのうちの第1のPBCHシンボル、その後に前記SSSシンボル、その後に前記1つまたは複数のPBCHシンボルのうちの第2のPBCHシンボル、その後に前記1つまたは複数のPBCHシンボルのうちの第3のPBCHシンボルが続くことを含む、請求項4に記載の方法。
【請求項６】
前記SSバーストセットパターンの前記受信された指示に少なくとも部分的に基づいて、制御情報を監視するための位置を識別するステップ
をさらに含む、請求項1に記載の方法。
【請求項７】
SSブロックの前記1つまたは複数のセットが、第1のサブキャリア間隔で監視され、
前記制御情報が、第2のサブキャリア間隔で監視される
請求項6に記載の方法。
【請求項８】
SSブロックの前記1つまたは複数のセットに関して監視された前記位置より前のスロット内で制御情報を監視するステップであって、前記制御情報が、ダウンリンク制御情報を含む、監視するステップ
をさらに含む、請求項6に記載の方法。
【請求項９】
前記スロット内で前記制御情報を監視する前記ステップが、
SSブロックの前記1つまたは複数のセットに関して監視された前記位置より前の前記スロットの1個または2個のシンボル内で前記ダウンリンク制御情報を監視するステップ
を含む、請求項8に記載の方法。
【請求項１０】
SSブロックの前記1つまたは複数のセットに関して監視されたスロット内の前記位置の後の、前記スロットの1個または2個のシンボル内でアップリンク制御情報を送信するステップ
をさらに含む、請求項6に記載の方法。
【請求項１１】
前記SSバーストセットパターンの前記受信された指示に少なくとも部分的に基づいて、SSブロックの前記1つまたは複数のセットのうちの2つの間のガード期間を識別するステップ
をさらに含む、請求項1に記載の方法。
【請求項１２】
前記SSバーストセットパターンの前記指示を受信する前記ステップが、
前記SSバーストセットパターンを指示する、1次同期信号(PSS)、または2次同期信号(SSS)、または物理ブロードキャストチャネル(PBCH)の復調基準信号(DMRS)、またはPBCHペイロード、またはマスタ情報ブロック(MIB)、またはシステム情報ブロック(SIB)、または無線リソース制御(RRC)送信、またはハンドオーバメッセージ、またはそれらの組合せを受信するステップ
を含む、請求項1に記載の方法。
【請求項１３】
前記SSバーストセットパターンの前記指示を受信する前記ステップが、
前記SSバーストセットパターン内のSSブロックの時間ロケーションの指示を受信するステップ
を含む、請求項1に記載の方法。
【請求項１４】
前記SSブロックの前記時間ロケーションの前記指示が、前記SSバーストセットパターン内の前記SSブロックの、シンボル、またはスロット、または無線フレームロケーション、またはそれらの組合せを含む、請求項13に記載の方法。
【請求項１５】
SSに関する第1のサブキャリア間隔を識別するステップと、
前記SSバーストセットパターンの前記受信された指示および前記第1のサブキャリア間隔に少なくとも部分的に基づいて、前記SSバーストセットパターンを識別するステップと
をさらに含む、請求項1に記載の方法。
【請求項１６】
非SSに関する第2のサブキャリア間隔を識別するステップと、
前記SSバーストセットパターンの前記受信された指示および前記第2のサブキャリア間隔に少なくとも部分的に基づいて、前記SSバーストセットパターンを識別するステップと
をさらに含む、請求項1に記載の方法。
【請求項１７】
前記SSバーストセットパターンの前記指示を受信する前記ステップが、
SSに関する第1のサブキャリア間隔の第1の指示を受信するステップと、
非SSに関する第2のサブキャリア間隔の第2の指示を受信するステップと、
前記受信された第1の指示および前記受信された第2の指示に少なくとも部分的に基づいて、前記SSバーストセットパターンを識別するステップと
さらに含む、請求項1に記載の方法。
【請求項１８】
前記受信された指示に少なくとも部分的に基づいて、SSバーストセットパターンを識別するステップと、
前記識別されたSSバーストセットパターンに少なくとも部分的に基づいて、許可、もしくはシステム情報のペイロード、またはそれらの組合せの1つまたは複数の組合せの時間ロケーションを決定するステップと
をさらに含む、請求項1に記載の方法。
【請求項１９】
前記受信された指示に少なくとも部分的に基づいて、SSバーストセットパターンを識別するステップと、
前記識別されたSSバーストセットパターンに少なくとも部分的に基づいて、1つまたは複数のランダムアクセスチャネル(RACH)リソースの時間ロケーションを決定するステップと
をさらに含む、請求項1に記載の方法。
【請求項２０】
前記受信された指示に少なくとも部分的に基づいて、SSバーストセットパターンを識別するステップと、
前記識別されたSSバーストセットパターンに少なくとも部分的に基づいて、チャネル状態情報基準信号(CSI-RS)、もしくは測定基準信号(MRS)、またはそれらの組合せの時間ロケーションを決定するステップと
をさらに含む、請求項1に記載の方法。
【請求項２１】
基地局におけるワイヤレス通信のための方法であって、
同期信号(SS)バーストセットパターンを識別するステップであって、前記SSバーストセットパターンが、SSブロックの1つまたは複数のセットに関する位置を指示する、識別するステップと、
前記識別されたSSバーストセットパターンの指示を送信するステップと、
前記識別されたSSバーストセットパターンに少なくとも部分的に基づいて、SSブロックの前記1つまたは複数のセットを送信するステップと
を含む、方法。
【請求項２２】
前記識別されたSSバーストセットパターンの前記指示を送信する前記ステップが、
前記識別されたSSバーストセットパターンを指示する、1次同期信号(PSS)、または2次同期信号(SSS)、または物理ブロードキャストチャネル(PBCH)の復調基準信号(DMRS)、またはPBCHペイロード、またはマスタ情報ブロック(MIB)、またはシステム情報ブロック(SIB)、または無線リソース制御(RRC)送信、またはハンドオーバメッセージ、またはそれらの組合せを送信するステップ
を含む、請求項21に記載の方法。
【請求項２３】
前記SSバーストセットパターンを識別する前記ステップが、
前記SSバーストセットパターン内のSSブロックの前記1つまたは複数のセットの時間ロケーションを識別するステップ
をさらに含む、請求項21に記載の方法。
【請求項２４】
前記SSバーストセットパターン内のSSブロックの前記1つまたは複数のセットの前記時間ロケーションが、前記SSバーストセットパターン内の前記SSブロックの、シンボル、またはスロット、または無線フレームロケーション、またはそれらの組合せを含む、請求項23に記載の方法。
【請求項２５】
前記識別されたSSバーストセットパターンの前記指示を送信する前記ステップが、
スロットのセットに関するスロット占有パターンの指示を送信するステップであって、前記スロット占有パターンが、SSブロックの前記1つまたは複数のセットのSSブロックを含むスロットの前記セットの1つまたは複数のスロットを指示する、送信するステップ
を含む、請求項21に記載の方法。
【請求項２６】
SSに関する第1のサブキャリア間隔を識別するステップと、
前記第1のサブキャリア間隔に少なくとも部分的に基づいて、前記SSバーストセットパターンを識別するステップと
をさらに含む、請求項21に記載の方法。
【請求項２７】
前記第1のサブキャリア間隔を識別する前記ステップが、
システム動作帯域幅に少なくとも部分的に基づいて、前記第1のサブキャリア間隔を識別するステップ
を含む、請求項26に記載の方法。
【請求項２８】
非SSに関する第2のサブキャリア間隔を識別するステップと、
前記第2のサブキャリア間隔に少なくとも部分的に基づいて、前記SSバーストセットパターンを識別するステップと
をさらに含む、請求項21に記載の方法。
【請求項２９】
前記第2のサブキャリア間隔を識別する前記ステップが、
システム動作帯域幅に少なくとも部分的に基づいて、前記第2のサブキャリア間隔を識別するステップ
を含む、請求項28に記載の方法。
【請求項３０】
前記識別されたSSバーストセットパターンの前記指示を送信する前記ステップが、
SSに関する第1のサブキャリア間隔の第1の指示を送信するステップと、
非SSに関する第2のサブキャリア間隔の第2の指示を送信するステップと
を含む、請求項28に記載の方法。
【請求項３１】
SSブロックの前記1つまたは複数のセットのSSブロックのセットが、1次同期信号(PSS)シンボル、2次同期信号(SSS)シンボル、1つまたは複数の物理ブロードキャストチャネル(PBCH)シンボル、および前記1つまたは複数のPBCHシンボルの1つまたは複数の復調基準信号(DMRS)を含む、請求項21に記載の方法。
【請求項３２】
SSシンボルの前記セットの順序が、前記PSSシンボル、その後に前記1つまたは複数のPBCHシンボルのうちの第1のPBCHシンボル、その後に前記SSSシンボル、その後に前記1つまたは複数のPBCHシンボルのうちの第2のPBCHシンボル、その後に前記1つまたは複数のPBCHシンボルのうちの第3のPBCHシンボルが続くことを含む、請求項31に記載の方法。
【請求項３３】
前記識別されたSSバーストセットパターンに少なくとも部分的に基づいて、第1のサブキャリア間隔を使用してスロット内で制御情報を送信するステップであって、SSブロックの前記1つまたは複数のセットが、第2のサブキャリア間隔を使用して前記スロット内で送信される、送信するステップ
をさらに含む、請求項21に記載の方法。
【請求項３４】
前記制御情報が、ダウンリンク制御情報を含む、請求項33に記載の方法。
【請求項３５】
前記識別されたSSバーストセットパターンに少なくとも部分的に基づいて、スロット内でSSブロックの前記1つまたは複数のセットを送信するより前に前記スロット内でダウンリンク制御情報を送信するステップ
をさらに含む、請求項21に記載の方法。
【請求項３６】
前記スロット内で前記ダウンリンク制御情報を送信する前記ステップが、
前記スロット内でSSブロックの前記1つまたは複数のセットを送信するより前に前記スロットの1個または2個のシンボル内で前記ダウンリンク制御情報を送信するステップ
を含む、請求項35に記載の方法。
【請求項３７】
スロット内でSSブロックの前記1つまたは複数のセットを送信した後で前記スロットの1個または2個のシンボル内でアップリンク制御情報を監視するステップ
をさらに含む、請求項21に記載の方法。
【請求項３８】
ワイヤレス通信のための装置であって、
同期信号(SS)バーストセットパターンの指示を受信するための手段と、
前記受信された指示に少なくとも部分的に基づいて、1つまたは複数のSSの時間ロケーションを決定するための手段と
を含む、装置。
【請求項３９】
前記SSバーストセットパターンの前記受信された指示に少なくとも部分的に基づいて、SSブロックの1つまたは複数のセットを監視するための位置を識別するための手段と、
SSブロックの前記1つまたは複数のセットに関して前記識別された位置を監視するための手段と
をさらに含む、請求項38に記載の装置。
【請求項４０】
前記SSバーストセットパターンの前記指示を受信するための前記手段が、
スロットのセットに関するスロット占有パターンの指示を受信するための手段であって、前記スロット占有パターンが、SSブロックの前記1つまたは複数のセットのSSブロックを含むスロットの前記セットの1つまたは複数のスロットを指示する、受信するための手段
を含む、請求項39に記載の装置。
【請求項４１】
SSブロックの前記1つまたは複数のセットのSSブロックのセットが、1次同期信号(PSS)シンボル、2次同期信号(SSS)シンボル、1つまたは複数の物理ブロードキャストチャネル(PBCH)シンボル、および前記1つまたは複数のPBCHシンボルの1つまたは複数の復調基準信号(DMRS)を含む、請求項39に記載の装置。
【請求項４２】
SSシンボルの前記セットの順序が、前記PSSシンボル、その後に前記1つまたは複数のPBCHシンボルのうちの第1のPBCHシンボル、その後に前記SSSシンボル、その後に前記1つまたは複数のPBCHシンボルのうちの第2のPBCHシンボル、その後に前記1つまたは複数のPBCHシンボルのうちの第3のPBCHシンボルが続くことを含む、請求項41に記載の装置。
【請求項４３】
前記SSバーストセットパターンの前記受信された指示に少なくとも部分的に基づいて、制御情報を監視するための位置を識別するための手段
をさらに含む、請求項39に記載の装置。
【請求項４４】
第1のサブキャリア間隔でSSブロックの前記1つまたは複数のセットを監視するための手段と、
第2のサブキャリア間隔で前記制御情報を監視するための手段と
をさらに含む、請求項43に記載の装置。
【請求項４５】
SSブロックの前記1つまたは複数のセットに関して監視された前記位置より前のスロット内で制御情報を監視するための手段であって、前記制御情報が、ダウンリンク制御情報を含む、監視するための手段
をさらに含む、請求項43に記載の装置。
【請求項４６】
前記スロット内で前記制御情報を監視するための前記手段が、
SSブロックの前記1つまたは複数のセットに関して監視された前記位置より前の前記スロットの1個または2個のシンボル内で前記ダウンリンク制御情報を監視するための手段
をさらに含む、請求項45に記載の装置。
【請求項４７】
SSブロックの前記1つまたは複数のセットに関して監視されたスロット内の前記位置の後の、前記スロットの1個または2個のシンボル内でアップリンク制御情報を送信するための手段
をさらに含む、請求項43に記載の装置。
【請求項４８】
前記SSバーストセットパターンの前記受信された指示に少なくとも部分的に基づいて、SSブロックの前記1つまたは複数のセットのうちの2つの間のガード期間を識別するための手段
をさらに含む、請求項39に記載の装置。
【請求項４９】
前記SSバーストセットパターンの前記指示を受信するための前記手段が、
前記SSバーストセットパターンを指示する、1次同期信号(PSS)、または2次同期信号(SSS)、または物理ブロードキャストチャネル(PBCH)の復調基準信号(DMRS)、またはPBCHペイロード、またはマスタ情報ブロック(MIB)、またはシステム情報ブロック(SIB)、または無線リソース制御(RRC)送信、またはハンドオーバメッセージ、またはそれらの組合せを受信するための手段
をさらに含む、請求項38に記載の装置。
【請求項５０】
前記SSバーストセットパターンの前記指示を受信するための前記手段が、
前記SSバーストセットパターン内のSSブロックの時間ロケーションの指示を受信するための手段
をさらに含む、請求項38に記載の装置。
【請求項５１】
前記SSブロックの前記時間ロケーションの前記指示が、前記SSバーストセットパターン内の前記SSブロックの、シンボル、またはスロット、または無線フレームロケーション、またはそれらの組合せを含む、請求項50に記載の装置。
【請求項５２】
SSに関する第1のサブキャリア間隔を識別するための手段と、
前記SSバーストセットパターンの前記受信された指示および前記第1のサブキャリア間隔に少なくとも部分的に基づいて、前記SSバーストセットパターンを識別するための手段と
をさらに含む、請求項38に記載の装置。
【請求項５３】
非SSに関する第2のサブキャリア間隔を識別するための手段と、
前記SSバーストセットパターンの前記受信された指示および前記第2のサブキャリア間隔に少なくとも部分的に基づいて、前記SSバーストセットパターンを識別するための手段と
をさらに含む、請求項38に記載の装置。
【請求項５４】
ワイヤレス通信のための装置であって、
同期信号(SS)バーストセットパターンを識別するための手段であって、前記SSバーストセットパターンが、SSブロックの1つまたは複数のセットに関する位置を指示する、識別するための手段と、
前記識別されたSSバーストセットパターンの指示を送信するための手段と、
前記識別されたSSバーストセットパターンに少なくとも部分的に基づいて、SSブロックの前記1つまたは複数のセットを送信するための手段と
を含む、装置。
【請求項５５】
前記識別されたSSバーストセットパターンの前記指示を送信するための前記手段が、
前記識別されたSSバーストセットパターンを指示する、1次同期信号(PSS)、または2次同期信号(SSS)、または物理ブロードキャストチャネル(PBCH)の復調基準信号(DMRS)、またはPBCHペイロード、またはマスタ情報ブロック(MIB)、またはシステム情報ブロック(SIB)、または無線リソース制御(RRC)送信、またはハンドオーバメッセージ、またはそれらの組合せを送信するための手段
をさらに含む、請求項54に記載の装置。
【請求項５６】
前記SSバーストセットパターンを識別するための前記手段が、
前記SSバーストセットパターン内のSSブロックの前記1つまたは複数のセットの時間ロケーションを識別するための手段
をさらに含む、請求項54に記載の装置。
【請求項５７】
前記SSバーストセットパターン内のSSブロックの前記1つまたは複数のセットの前記時間ロケーションが、前記SSバーストセットパターン内の前記SSブロックの、シンボル、またはスロット、または無線フレームロケーション、またはそれらの組合せを含む、請求項56に記載の装置。
【請求項５８】
前記識別されたSSバーストセットパターンの前記指示を送信するための前記手段が、
スロットのセットに関するスロット占有パターンの指示を送信するための手段であって、前記スロット占有パターンが、SSブロックの前記1つまたは複数のセットのSSブロックを含むスロットの前記セットの1つまたは複数のスロットを指示する、送信するための手段
をさらに含む、請求項54に記載の装置。
【請求項５９】
SSに関する第1のサブキャリア間隔を識別するための手段と、
前記第1のサブキャリア間隔に少なくとも部分的に基づいて、前記SSバーストセットパターンを識別するための手段と
をさらに含む、請求項54に記載の装置。
【請求項６０】
前記第1のサブキャリア間隔を識別するための前記手段が、
システム動作帯域幅に少なくとも部分的に基づいて、前記第1のサブキャリア間隔を識別するための手段
をさらに含む、請求項59に記載の装置。
【請求項６１】
非SSに関する第2のサブキャリア間隔を識別するための手段と、
前記第2のサブキャリア間隔に少なくとも部分的に基づいて、前記SSバーストセットパターンを識別するための手段と
をさらに含む、請求項54に記載の装置。
【請求項６２】
前記第2のサブキャリア間隔を識別するための前記手段が、
システム動作帯域幅に少なくとも部分的に基づいて、前記第2のサブキャリア間隔を識別するための手段
をさらに含む、請求項61に記載の装置。
【請求項６３】
SSブロックの前記1つまたは複数のセットのSSブロックのセットが、1次同期信号(PSS)シンボル、2次同期信号(SSS)シンボル、1つまたは複数の物理ブロードキャストチャネル(PBCH)シンボル、および前記1つまたは複数のPBCHシンボルの1つまたは複数の復調基準信号(DMRS)を含む、請求項54に記載の装置。
【請求項６４】
SSシンボルの前記セットの順序が、前記PSSシンボル、その後に前記1つまたは複数のPBCHシンボルのうちの第1のPBCHシンボル、その後に前記SSSシンボル、その後に前記1つまたは複数のPBCHシンボルのうちの第2のPBCHシンボル、その後に前記1つまたは複数のPBCHシンボルのうちの第3のPBCHシンボルが続くことを含む、請求項63に記載の装置。
【請求項６５】
前記識別されたSSバーストセットパターンに少なくとも部分的に基づいて、第1のサブキャリア間隔を使用してスロット内で制御情報を送信するための手段であって、SSブロックの前記1つまたは複数のセットが、第2のサブキャリア間隔を使用して前記スロット内で送信される、送信するための手段
をさらに含む、請求項54に記載の装置。
【請求項６６】
前記制御情報が、ダウンリンク制御情報を含む、請求項65に記載の装置。
【請求項６７】
前記識別されたSSバーストセットパターンに少なくとも部分的に基づいて、スロット内でSSブロックの前記1つまたは複数のセットを送信するより前に前記スロット内でダウンリンク制御情報を送信するための手段
をさらに含む、請求項54に記載の装置。
【請求項６８】
前記スロット内で前記ダウンリンク制御情報を送信するための前記手段が、
前記スロット内でSSブロックの前記1つまたは複数のセットを送信するより前に前記スロットの1個または2個のシンボル内で前記ダウンリンク制御情報を送信するための手段
をさらに含む、請求項67に記載の装置。
【請求項６９】
スロット内でSSブロックの前記1つまたは複数のセットを送信した後で前記スロットの1個または2個のシンボル内でアップリンク制御情報を監視するための手段
をさらに含む、請求項54に記載の装置。
【請求項７０】
ワイヤレス通信のための装置であって、
プロセッサと、
前記プロセッサと電子通信しているメモリと、
前記メモリ内に記憶された命令とを含み、前記命令が、前記プロセッサによって実行されると、前記装置に、
同期信号(SS)バーストセットパターンの指示を受信させ、
前記受信された指示に少なくとも部分的に基づいて、1つまたは複数のSSの時間ロケーションを決定させる
ように動作可能な、装置。
【請求項７１】
前記命令が、
前記SSバーストセットパターンの前記受信された指示に少なくとも部分的に基づいて、SSブロックの1つまたは複数のセットを監視するための位置を識別し、
SSブロックの前記1つまたは複数のセットに関して前記識別された位置を監視する
ように前記プロセッサによってさらに実行可能な、請求項70に記載の装置。
【請求項７２】
前記SSバーストセットパターンの前記指示を受信するように前記プロセッサによって実行可能な前記命令が、
スロットのセットに関するスロット占有パターンの指示を受信することであって、前記スロット占有パターンが、SSブロックの前記1つまたは複数のセットのSSブロックを含むスロットの前記セットの1つまたは複数のスロットを指示する、受信すること
を行うように前記プロセッサによってさらに実行可能な命令を含む、請求項71に記載の装置。
【請求項７３】
ワイヤレス通信のための装置であって、
プロセッサと、
前記プロセッサと電子通信しているメモリと、
前記メモリ内に記憶された命令とを含み、前記命令が、前記プロセッサによって実行されると、前記装置に、
同期信号(SS)バーストセットパターンを識別することであって、前記SSバーストセットパターンが、SSブロックの1つまたは複数のセットに関する位置を指示する、識別することと、
前記識別されたSSバーストセットパターンの指示を送信することと、
前記識別されたSSバーストセットパターンに少なくとも部分的に基づいて、SSブロックの前記1つまたは複数のセットを送信することと
を行わせるように動作可能な、装置。
【請求項７４】
前記識別されたSSバーストセットパターンの前記指示を送信するように前記プロセッサによって実行可能な前記命令が、
前記識別されたSSバーストセットパターンを指示する、1次同期信号(PSS)、または2次同期信号(SSS)、または物理ブロードキャストチャネル(PBCH)の復調基準信号(DMRS)、またはPBCHペイロード、またはマスタ情報ブロック(MIB)、またはシステム情報ブロック(SIB)、または無線リソース制御(RRC)送信、またはハンドオーバメッセージ、またはそれらの組合せを送信する
ように前記プロセッサによってさらに実行可能な命令を含む、請求項73に記載の装置。
【請求項７５】
前記SSバーストセットパターンを識別するように前記プロセッサによって実行可能な前記命令が、
前記SSバーストセットパターン内のSSブロックの前記1つまたは複数のセットの時間ロケーションを識別する
ように前記プロセッサによってさらに実行可能な命令を含む、請求項73に記載の装置。
【請求項７６】
ワイヤレス通信のためのコードを記憶するコンピュータ可読記録媒体であって、前記コードが、
同期信号(SS)バーストセットパターンの指示を受信し、
前記受信された指示に少なくとも部分的に基づいて、1つまたは複数のSSの時間ロケーションを決定する
ようにプロセッサによって実行可能な命令を含む、コンピュータ可読記録媒体。
【請求項７７】
ワイヤレス通信のためのコードを記憶するコンピュータ可読記録媒体であって、前記コードが、
同期信号(SS)バーストセットパターンを識別することであって、前記SSバーストセットパターンが、SSブロックの1つまたは複数のセットに関する位置を指示する、識別することと、
前記識別されたSSバーストセットパターンの指示を送信することと、
前記識別されたSSバーストセットパターンに少なくとも部分的に基づいて、SSブロックの前記1つまたは複数のセットを送信することと
を行うようにプロセッサによって実行可能な命令を含む、コンピュータ可読記録媒体。
【発明の詳細な説明】
【技術分野】
【０００１】
相互参照
本特許出願は、各々が本出願の譲受人に譲渡された、2018年9月13日に出願した、「Techniques for Signaling Synchronization Signal Burst Set Patterns」という名称の、Islamらによる米国特許出願第16/130,861号、および2017年9月17日に出願した「Techniques for Signaling Synchronization Signal Burst Set Patterns」という名称の、Islamらによる米国仮特許出願第62/559,623号の利益を主張するものである。
【０００２】
以下は、一般に、ワイヤレス通信に関し、より詳細には、同期信号(SS)バーストセットパターンをシグナリングするための技法に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であることがある。そのような多重アクセスシステムの例には、ロングタームエボリューション(LTE)システムまたはLTEアドバンスト(LTE-A)システムなどの第4世代(4G)システム、およびニューラジオ(NR)システムと呼ばれることがある第5世代(5G)システムがある。これらのシステムは、符号分割多元接続(CDMA)、時分割多元接続(TDMA)、周波数分割多元接続(FDMA)、直交周波数多元接続(OFDMA)、または離散フーリエ変換拡散OFDM(DFT-S-OFDM)などの技法を採用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【０００４】
時々、UEは、ワイヤレスネットワークへのアクセスを獲得するために初期アクセス(または初期捕捉)手順を実行する必要があり得る。初期アクセス手順の一部として、UEは、ワイヤレスネットワークの、基地局などのネットワークアクセスデバイスによって送信された同期チャネルを探索する必要があり得る。UEはまた、基地局から物理ブロードキャストチャネル(PBCH)送信内で送信され得るマスタ情報ブロック(MIB)あるいは1つまたは複数のシステム情報ブロック(たとえば、SIB1、SIB2など)内に含まれてなどいる、様々な項目のシステム情報を捕捉し得る。基地局は、UEがネットワークに接続し、ネットワークと通信するのを支援するために、SS(たとえば、1次同期信号(PSS)、2次同期信号(SSS)など)を送信することができる。これらのSSは、異なる時点で送信される一定の時間リソースおよび周波数リソース(たとえば、SSブロック)内に含まれてよく、異なる無線周波数(RF)帯域の周波数リソース上でやはり多重化され得る。SSブロック(たとえば、SSバーストパターン)をスケジュールし伝達するための改善された技法が所望され得る。
【発明の概要】
【課題を解決するための手段】
【０００５】
説明する技法は、同期信号(SS)バーストセットパターンをシグナリングするための技法をサポートする改善された方法、システム、デバイス、または装置に関する。概して、説明する技法は、SSおよび物理ブロードキャストチャネル(PBCH)送信が、異なる数秘学によって使用される異なるデータトーンまたはサブキャリア間隔など、異なるシステム動作条件で送信され得るSSブロックを提供する。場合によっては、PBCH送信は、SS送信、基準信号送信、またはそれらの組合せを使用して復調され得る。PBCH送信は、SSブロック時間リソースのサブセット内、たとえば、SSブロックの1個、2個、または3個のシンボル内で送信され得る。1次同期信号(PSS)および2次同期信号(SSS)などのSSは、SSブロック時間リソースの別のサブセット内、たとえば、2個または3個のシンボル内で送信され得る。
【０００６】
SSバーストセットパターン(または、SSブロックセットパターン)は、SSブロックの時間ロケーションを指示し得る。たとえば、SSバーストセットパターンは、SSブロックのシンボル、スロット、無線フレームロケーションなどを指示し得る(たとえば、SSバーストセットパターンは、SSブロックを含むスロット、ならびに各スロット内のどのシンボルがSSブロック情報を含むかを指示し得る)。本明細書で説明する技法によれば、SSバーストセットパターンは、ワイヤレス通信システム内で使用される送信数秘学に基づいて識別または決定され得る。すなわち、SSバーストセットパターンは、同期(SYNC)信号に対して使用される数秘学もしくはサブキャリア間隔および/または非SS(たとえば、データ、アップリンク制御、ダウンリンク制御など)に対して使用される数秘学もしくはサブキャリア間隔に依存し得る。たとえば、SSバーストセットパターンが、ダウンリンク制御のためのSSブロック位置より前のスロットの1個または2個のシンボルの予約、アップリンク制御のためのSSブロックの位置の後のスロットの1個または2個のシンボルの予約、SSバーストセットパターンのSSブロックの2つ以上のセット同士の間のガード期間の予約を可能にするように、SYNC数秘学および非SYNC数秘学を考慮に入れることができる。SSバーストセットパターンは、したがって、非SSに関するシンボルの予約のための非SYNC数秘学、ならびにSSブロックの測位のためのSYNC数秘学を組み込むことができる。
【０００７】
場合によっては、基地局は、(たとえば、SSの識別されたサブキャリア間隔および/または非SSの識別されたサブキャリア間隔に基づいて)SSバーストセットパターンを識別することができる。基地局は、次いで、SSバーストセットパターンの指示をユーザ機器(UE)に送信し得る。たとえば、基地局は、PSS、SSS、PBCHの復調基準信号(DMRS)、PBCHペイロード、マスタ情報ブロック(MIB)、システム情報ブロック(SIB)、無線リソース制御(RRC)送信、ハンドオーバメッセージなどを介して、SSバーストセットパターン指示を送信し得る。他の場合には、基地局は、SSおよび非SSに対して使用される数秘学を指示し得、UEは、SSバーストセットパターンを暗黙的に導出し得る(たとえば、SSバーストセットパターンは、異なる送信数秘学に関してネットワークによってあらかじめ定義または構成され得る)。ワイヤレス通信の方法について説明する。
【０００８】
この方法は、SSバーストセットパターンの指示を受信するステップと、受信された指示に少なくとも部分的に基づいて、1つまたは複数のSSの時間ロケーションを決定するステップとを含み得る。
【０００９】
ワイヤレス通信のための装置について説明する。この装置は、SSバーストセットパターンの指示を受信するための手段と、受信された指示に少なくとも部分的に基づいて、1つまたは複数のSSの時間ロケーションを決定するための手段とを含み得る。
【００１０】
ワイヤレス通信のための別の装置について説明する。装置は、プロセッサと、プロセッサと電子的に通信しているメモリと、メモリ内に記憶された命令とを含み得る。これらの命令は、プロセッサに、SSバーストセットパターンの指示を受信させ、受信された指示に少なくとも部分的に基づいて、1つまたは複数のSSの時間ロケーションを決定させるように動作可能であり得る。
【００１１】
ワイヤレス通信のための非一時的コンピュータ可読媒体について説明する。この非一時的コンピュータ可読媒体は、プロセッサに、SSバーストセットパターンの指示を受信させ、受信された指示に少なくとも部分的に基づいて、1つまたは複数のSSの時間ロケーションを決定させるように動作可能な命令を含み得る。
【００１２】
上記で説明した方法、装置、および非一時的コンピュータ可読媒体のいくつかの例は、SSバーストセットパターンの受信された指示に少なくとも部分的に基づいて、SSブロックの1つまたは複数のセットを監視するための位置を識別するためのプロセス、特徴、手段、または命令をさらに含み得る。上記で説明した方法、装置、および非一時的コンピュータ可読媒体のいくつかの例は、SSブロックの1つまたは複数のセットに関して、識別された位置を監視するためのプロセス、特徴、手段、または命令をさらに含み得る。
【００１３】
上記で説明した方法、装置、および非一時的コンピュータ可読媒体のいくつかの例では、SSバーストセットパターンの指示を受信することは、スロットのセットに関するスロット占有パターンの指示を受信することであって、スロット占有パターンが、SSブロックの1つまたは複数のセットのSSブロックを含むスロットのセットの1つまたは複数のスロットを指示する、受信することを含む。
【００１４】
上記で説明した方法、装置、および非一時的コンピュータ可読媒体のいくつかの例では、SSブロックの1つまたは複数のセットのSSブロックのセットは、PSSシンボル、SSSシンボル、1つまたは複数のPBCHシンボル、および1つまたは複数のPBCHシンボルの1つまたは複数のDMRSを含む。
【００１５】
上記で説明した方法、装置、および非一時的コンピュータ可読媒体のいくつかの例では、SSシンボルのセットの順序は、PSSシンボル、その後に1つまたは複数のPBCHシンボルのうちの第1のPBCHシンボル、その後にSSSシンボル、その後に1つまたは複数のPBCHシンボルのうちの第2のPBCHシンボル、その後に1つまたは複数のPBCHシンボルのうちの第3のPBCHシンボルが続くことを含む。
【００１６】
上記で説明した方法、装置、および非一時的コンピュータ可読媒体のいくつかの例は、SSバーストセットパターンの受信された指示に少なくとも部分的に基づいて、制御情報を監視するための位置を識別するためのプロセス、特徴、手段、または命令をさらに含み得る。
【００１７】
上記で説明した方法、装置、および非一時的コンピュータ可読媒体のいくつかの例では、SSブロックの1つまたは複数のセットは、第1のサブキャリア間隔で監視され得る。上記で説明した方法、装置、および非一時的コンピュータ可読媒体のいくつかの例では、制御情報は、第2のサブキャリア間隔で監視され得る。
【００１８】
上記で説明した方法、装置、および非一時的コンピュータ可読媒体のいくつかの例は、SSブロックの1つまたは複数のセットに関して監視された位置より前のスロット内で制御情報を監視することであって、制御情報が、ダウンリンク制御情報を含む、監視することを行うためのプロセス、特徴、手段、または命令をさらに含み得る。
【００１９】
上記で説明した方法、装置、および非一時的コンピュータ可読媒体のいくつかの例では、スロット内で制御情報を監視することは、SSブロックの1つまたは複数のセットに関して監視された位置より前のスロットの1個または2個のシンボル内でダウンリンク制御情報を監視することを含む。
【００２０】
上記で説明した方法、装置、および非一時的コンピュータ可読媒体のいくつかの例は、SSブロックの1つまたは複数のセットに関して監視されたスロット内の位置の後のそのスロットの1個または2個のシンボル内でアップリンク制御情報を送信するためのプロセス、特徴、手段、または命令をさらに含み得る。
【００２１】
上記で説明した方法、装置、および非一時的コンピュータ可読媒体のいくつかの例は、SSバーストセットパターンの受信された指示に少なくとも部分的に基づいて、SSブロックの1つまたは複数のセットのうちの2つのガード期間を識別するためのプロセス、特徴、手段、または命令をさらに含み得る。
【００２２】
上記で説明した方法、装置、および非一時的コンピュータ可読媒体のいくつかの例では、SSバーストセットパターンの指示を受信することは、SSバーストセットパターンを指示する、PSS、またはSSS、またはPBCHのDMRS、またはPBCHペイロード、またはMIB、またはSIB、またはRRC送信、またはハンドオーバメッセージ、またはそれらの組合せを受信することを含む。
【００２３】
上記で説明した方法、装置、および非一時的コンピュータ可読媒体のいくつかの例では、SSバーストセットパターンの指示を受信することは、SSバーストセットパターン内のSSブロックの時間ロケーションの指示を受信することを含む。
【００２４】
上記で説明した方法、装置、および非一時的コンピュータ可読媒体のいくつかの例では、SSブロックの時間ロケーションの指示は、SSバーストセットパターン内のSSブロックの、シンボル、またはスロット、または無線フレームロケーション、またはそれらの組合せを含む。
【００２５】
上記で説明した方法、装置、および非一時的コンピュータ可読媒体のいくつかの例は、SSに関する第1のサブキャリア間隔を識別するためのプロセス、特徴、手段、または命令をさらに含み得る。上記で説明した方法、装置、および非一時的コンピュータ可読媒体のいくつかの例は、SSバーストセットパターンの受信された指示および第1のサブキャリア間隔に少なくとも部分的に基づいて、SSバーストセットパターンを識別するためのプロセス、特徴、手段、または命令をさらに含み得る。
【００２６】
上記で説明した方法、装置、および非一時的コンピュータ可読媒体のいくつかの例は、非SSに関する第2のサブキャリア間隔を識別するためのプロセス、特徴、手段、または命令をさらに含み得る。上記で説明した方法、装置、および非一時的コンピュータ可読媒体のいくつかの例は、SSバーストセットパターンの受信された指示および第2のサブキャリア間隔に少なくとも部分的に基づいて、SSバーストセットパターンを識別するためのプロセス、特徴、手段、または命令をさらに含み得る。
【００２７】
上記で説明した方法、装置、および非一時的コンピュータ可読媒体のいくつかの例では、SSバーストセットパターンの指示を受信することは、SSに関する第1のサブキャリア間隔の第1の指示を受信することを含む。上記で説明した方法、装置、および非一時的コンピュータ可読媒体のいくつかの例は、非SSに関する第2のサブキャリア間隔の第2の指示を受信するためのプロセス、特徴、手段、または命令をさらに含み得る。上記で説明した方法、装置、および非一時的コンピュータ可読媒体のいくつかの例は、受信された第1の指示および受信された第2の指示に少なくとも部分的に基づいて、SSバーストセットパターンを識別するためのプロセス、特徴、手段、または命令をさらに含み得る。
【００２８】
上記で説明した方法、装置、および非一時的コンピュータ可読媒体のいくつかの例は、受信された指示に少なくとも部分的に基づいて、SSバーストセットパターンを識別するためのプロセス、特徴、手段、または命令をさらに含み得る。上記で説明した方法、装置、および非一時的コンピュータ可読媒体のいくつかの例は、識別されたSSバーストセットパターンに少なくとも部分的に基づいて、許可、もしくはシステム情報のペイロード、またはそれらの組合せの1つまたは複数の組合せの時間ロケーションを決定するためのプロセス、特徴、手段、または命令をさらに含み得る。
【００２９】
上記で説明した方法、装置、および非一時的コンピュータ可読媒体のいくつかの例は、受信された指示に少なくとも部分的に基づいて、SSバーストセットパターンを識別するためのプロセス、特徴、手段、または命令をさらに含み得る。上記で説明した方法、装置、および非一時的コンピュータ可読媒体のいくつかの例は、識別されたSSバーストセットパターンに少なくとも部分的に基づいて、1つまたは複数のランダムアクセスチャネル(RACH)リソースの時間ロケーションを決定するためのプロセス、特徴、手段、または命令をさらに含み得る。
【００３０】
上記で説明した方法、装置、および非一時的コンピュータ可読媒体のいくつかの例は、受信された指示に少なくとも部分的に基づいて、SSバーストセットパターンを識別するためのプロセス、特徴、手段、または命令をさらに含み得る。上記で説明した方法、装置、および非一時的コンピュータ可読媒体のいくつかの例は、識別されたSSバーストセットパターンに少なくとも部分的に基づいて、チャネル状態情報基準信号(CSI-RS)、もしくは測定基準信号(MRS)、またはそれらの組合せの時間ロケーションを決定するためのプロセス、特徴、手段、または命令をさらに含み得る。
【００３１】
ワイヤレス通信の方法について説明する。この方法は、SSバーストセットパターンを識別するステップであって、SSバーストセットパターンが、SSブロックの1つまたは複数のセットに関する位置を指示する、識別するステップと、識別されたSSバーストセットパターンの指示を送信するステップと、識別されたSSバーストセットパターンに少なくとも部分的に基づいて、SSブロックの1つまたは複数のセットを送信するステップとを含み得る。
【００３２】
ワイヤレス通信のための装置について説明する。この装置は、SSバーストセットパターンを識別するための手段であって、SSバーストセットパターンが、SSブロックの1つまたは複数のセットに関する位置を指示する、識別するための手段と、識別されたSSバーストセットパターンの指示を送信するための手段と、識別されたSSバーストセットパターンに少なくとも部分的に基づいて、SSブロックの1つまたは複数のセットを送信するための手段とを含み得る。
【００３３】
ワイヤレス通信のための別の装置について説明する。装置は、プロセッサと、プロセッサと電子的に通信しているメモリと、メモリ内に記憶された命令とを含み得る。これらの命令は、プロセッサに、SSバーストセットパターンを識別することであって、SSバーストセットパターンが、SSブロックの1つまたは複数のセットに関する位置を指示する、識別することと、識別されたSSバーストセットパターンの指示を送信することと、識別されたSSバーストセットパターンに少なくとも部分的に基づいて、SSブロックの1つまたは複数のセットを送信することとを行わせるように動作可能であり得る。
【００３４】
ワイヤレス通信のための非一時的コンピュータ可読媒体について説明する。この非一時的コンピュータ可読媒体は、プロセッサに、SSバーストセットパターンを識別することであって、SSバーストセットパターンが、SSブロックの1つまたは複数のセットに関する位置を指示する、識別することと、識別されたSSバーストセットパターンの指示を送信することと、識別されたSSバーストセットパターンに少なくとも部分的に基づいて、SSブロックの1つまたは複数のセットを送信することとを行わせるように動作可能な命令を含み得る。
【００３５】
上記で説明した方法、装置、および非一時的コンピュータ可読媒体のいくつかの例では、識別されたSSバーストセットパターンの指示を送信することは、識別されたSSバーストセットパターンを指示する、PSS、またはSSS、またはPBCHのDMRS、またはPBCHペイロード、またはMIB、またはSIB、またはRRC送信、またはハンドオーバメッセージ、またはそれらの組合せを送信することを含む。
【００３６】
上記で説明した方法、装置、および非一時的コンピュータ可読媒体のいくつかの例では、SSバーストセットパターンを識別することは、SSバーストセットパターン内のSSブロックの1つまたは複数のセットの時間ロケーションを識別することをさらに含む。
【００３７】
上記で説明した方法、装置、および非一時的コンピュータ可読媒体のいくつかの例では、SSバーストセットパターン内のSSブロックの1つまたは複数のセットの時間ロケーションは、SSバーストセットパターン内のSSブロックの、シンボル、またはスロット、または無線フレームロケーション、またはそれらの組合せを含む。
【００３８】
上記で説明した方法、装置、および非一時的コンピュータ可読媒体のいくつかの例では、識別されたSSバーストセットパターンの指示を送信することは、スロットのセットに関するスロット占有パターンの指示を送信することであって、スロット占有パターンが、SSブロックの1つまたは複数のセットのSSブロックを含むスロットのセットの1つまたは複数のスロットを指示する、送信することを含む。
【００３９】
上記で説明した方法、装置、および非一時的コンピュータ可読媒体のいくつかの例は、SSに関する第1のサブキャリア間隔を識別するためのプロセス、特徴、手段、または命令をさらに含み得る。上記で説明した方法、装置、および非一時的コンピュータ可読媒体のいくつかの例は、第1のサブキャリア間隔に少なくとも部分的に基づいて、SSバーストセットパターンを識別するためのプロセス、特徴、手段、または命令をさらに含み得る。
【００４０】
上記で説明した方法、装置、および非一時的コンピュータ可読媒体のいくつかの例では、第1のサブキャリア間隔を識別することは、システム動作帯域幅に少なくとも部分的に基づいて、第1のサブキャリア間隔を識別することを含む。
【００４１】
上記で説明した方法、装置、および非一時的コンピュータ可読媒体のいくつかの例は、非SSに関する第2のサブキャリア間隔を識別するためのプロセス、特徴、手段、または命令をさらに含み得る。上記で説明した方法、装置、および非一時的コンピュータ可読媒体のいくつかの例は、第2のサブキャリア間隔に少なくとも部分的に基づいて、SSバーストセットパターンを識別するためのプロセス、特徴、手段、または命令をさらに含み得る。
【００４２】
上記で説明した方法、装置、および非一時的コンピュータ可読媒体のいくつかの例では、第2のサブキャリア間隔を識別することは、システム動作帯域幅に少なくとも部分的に基づいて、第2のサブキャリア間隔を識別することを含む。
【００４３】
上記で説明した方法、装置、および非一時的コンピュータ可読媒体のいくつかの例では、識別されたSSバーストセットパターンの指示を送信することは、SSに関する第1のサブキャリア間隔の第1の指示を送信することを含む。上記で説明した方法、装置、および非一時的コンピュータ可読媒体のいくつかの例は、非SSに関する第2のサブキャリア間隔の第2の指示を送信するためのプロセス、特徴、手段、または命令をさらに含み得る。
【００４４】
上記で説明した方法、装置、および非一時的コンピュータ可読媒体のいくつかの例では、SSブロックの1つまたは複数のセットのSSブロックのセットは、PSSシンボル、SSSシンボル、1つまたは複数のPBCHシンボル、および1つまたは複数のPBCHシンボルの1つまたは複数のDMRSを含む。
【００４５】
上記で説明した方法、装置、および非一時的コンピュータ可読媒体のいくつかの例では、SSシンボルのセットの順序は、PSSシンボル、その後に1つまたは複数のPBCHシンボルのうちの第1のPBCHシンボル、その後にSSSシンボル、その後に1つまたは複数のPBCHシンボルのうちの第2のPBCHシンボル、その後に1つまたは複数のPBCHシンボルのうちの第3のPBCHシンボルが続くことを含む。
【００４６】
上記で説明した方法、装置、および非一時的コンピュータ可読媒体のいくつかの例は、識別されたSSバーストセットパターンに少なくとも部分的に基づいて、第1のサブキャリア間隔を使用してスロット内で制御情報を送信することであって、SSブロックの1つまたは複数のセットが、第2のサブキャリア間隔を使用してスロット内で送信され得る、送信することを行うためのプロセス、特徴、手段、または命令をさらに含み得る。
【００４７】
上記で説明した方法、装置、および非一時的コンピュータ可読媒体のいくつかの例では、制御情報は、ダウンリンク制御情報を含む。
【００４８】
上記で説明した方法、装置、および非一時的コンピュータ可読媒体のいくつかの例は、識別されたSSバーストセットパターンに少なくとも部分的に基づいて、スロット内でSSブロックの1つまたは複数のセットを送信するより前にそのスロット内でダウンリンク制御情報を送信するためのプロセス、特徴、手段、または命令をさらに含み得る。
【００４９】
上記で説明した方法、装置、および非一時的コンピュータ可読媒体のいくつかの例では、スロット内でダウンリンク制御情報を送信することは、スロット内でSSブロックの1つまたは複数のセットを送信するより前にそのスロットの1個または2個のシンボル内でダウンリンク制御情報を送信することを含む。
【００５０】
上記で説明した方法、装置、および非一時的コンピュータ可読媒体のいくつかの例は、スロット内でSSブロックの1つまたは複数のセットを送信した後でそのスロットの1個または2個のシンボル内でアップリンク制御情報を監視するためのプロセス、特徴、手段、または命令をさらに含み得る。
【図面の簡単な説明】
【００５１】
【図１】本開示の態様による、同期信号(SS)バーストセットパターンをシグナリングするための技法をサポートするワイヤレス通信のためのシステムの一例を示す図である。
【図２】本開示の態様による、SSバーストセットパターンをシグナリングするための技法をサポートするワイヤレス通信システムの一例を示す図である。
【図３】本開示の態様による、SSバーストセットパターンをシグナリングするための技法をサポートするスロットのセットの一例を示す図である。
【図４】本開示の態様による、SSバーストセットパターンをシグナリングするための技法をサポートするSSバーストセットパターンの一例を示す図である。
【図５】本開示の態様による、SSバーストセットパターンをシグナリングするための技法をサポートするSSブロック構成の一例を示す図である。
【図６】本開示の態様による、SSバーストセットパターンをシグナリングするための技法をサポートするSSバーストセットパターンの一例を示す図である。
【図７】本開示の態様による、SSバーストセットパターンをシグナリングするための技法をサポートするSSバーストセットパターンの一例を示す図である。
【図８】本開示の態様による、SSバーストセットパターンをシグナリングするための技法をサポートするSSバーストセットパターンの一例を示す図である。
【図９】本開示の態様による、SSバーストセットパターンをシグナリングするための技法をサポートするSSバーストセットパターンの一例を示す図である。
【図１０】本開示の態様による、SSバーストセットパターンをシグナリングするための技法をサポートするSSバーストセットパターンの一例を示す図である。
【図１１】本開示の態様による、SSバーストセットパターンをシグナリングするための技法をサポートするプロセスフローの一例を示す図である。
【図１２】本開示の態様による、SSバーストセットパターンをシグナリングするための技法をサポートするプロセスフローの一例を示す図である。
【図１３】本開示の態様による、SSバーストセットパターンをシグナリングするための技法をサポートするデバイスのブロック図である。
【図１４】本開示の態様による、SSバーストセットパターンをシグナリングするための技法をサポートするデバイスのブロック図である。
【図１５】本開示の態様による、SSバーストセットパターンをシグナリングするための技法をサポートするデバイスのブロック図である。
【図１６】本開示の態様による、SSバーストセットパターンをシグナリングするための技法をサポートするユーザ機器(UE)を含むシステムのブロック図である。
【図１７】本開示の態様による、SSバーストセットパターンをシグナリングするための技法をサポートするデバイスのブロック図である。
【図１８】本開示の態様による、SSバーストセットパターンをシグナリングするための技法をサポートするデバイスのブロック図である。
【図１９】本開示の態様による、SSバーストセットパターンをシグナリングするための技法をサポートするデバイスのブロック図である。
【図２０】本開示の態様による、SSバーストセットパターンをシグナリングするための技法をサポートする基地局を含むシステムのブロック図である。
【図２１】本開示の態様による、SSバーストセットパターンをシグナリングするための技法に関する方法を示す図である。
【図２２】本開示の態様による、SSバーストセットパターンをシグナリングするための技法に関する方法を示す図である。
【図２３】本開示の態様による、SSバーストセットパターンをシグナリングするための技法に関する方法を示す図である。
【図２４】本開示の態様による、SSバーストセットパターンをシグナリングするための技法に関する方法を示す図である。
【図２５】本開示の態様による、SSバーストセットパターンをシグナリングするための技法に関する方法を示す図である。
【発明を実施するための形態】
【００５２】
本明細書で説明するようなワイヤレス通信システムは、初期捕捉および基地局との通信においてユーザ機器(UE)を助けるために、同期信号(SS)と物理ブロードキャストチャネル(PBCH)送信とがその中で送信され得るSSブロックを提供するように構成され得る。いくつかの例では、PBCH送信は、SSブロック時間リソースのサブセット内で(たとえば、SSブロックの1個、2個、または3個のシンボル内で)送信され得、SS(たとえば、1次同期信号(PSS)および2次同期信号(SSS))は、SSブロック時間リソースの別のサブセット内で(たとえば、SSブロックの2個のシンボル内で)送信され得る。したがって、SSブロックは、PSS、SSS、PBCH、およびPBCH信号のDMRSの組合せ、またはこれらのサブセットを示し得る。SSブロックは、SSバーストセットと呼ばれることがある、1つまたは複数のSSブロックのグループ内で送信され得る。UEは、SSバーストセットパターンを使用して、たとえば、システム情報ブロック(SIB)リソース、ランダムアクセスチャネル(RACH)リソース、チャネル状態情報基準信号(CSI-RS)リソースなどに関する時間ロケーションを決定または見出すことができる。場合によっては、SSバーストセット内のSSブロックのロケーションまたはパターンは、SSブロック送信数秘学およびデータ/制御送信数秘学、またはスロットまたは無線フレーム設計に関する他の構成に応じて、各無線周波数(RF)帯域に関して識別される。
【００５３】
いくつかの例(たとえば、SSブロックごとに2個のPBCHシンボルを使用するワイヤレス通信システム)では、PBCH送信は、PBCH送信内の1つまたは複数の基準信号送信(たとえば、復調基準信号(DMRS)送信)がPBCH送信の信頼できる復調を提供するために有用であり得るSS送信よりも大きい周波数帯域幅を使用して送信され得る。しかしながら、いくつかのワイヤレス通信システムは、いくつかのキャリア周波数に対して低減された帯域幅で動作し得るか、またはさもなければ、低減された帯域幅で動作するようにワイヤレス通信システムによって拘束され得る。そのような場合、PBCH送信は、SS送信よりも大きな周波数帯域を使用して送信され得ない(たとえば、PBCH送信は、SS送信のために使用される周波数帯域幅に整合する周波数帯域幅を使用して送信され得る)。したがって、PBCHペイロードをサポートするために(たとえば、必要なPBCH情報を伝達するために)、ワイヤレス通信システムは、SSブロックごとに増大された数のPBCHシンボル、たとえば、3個以上のPBCHシンボルを採用し得る。そのような場合(たとえば、帯域幅制約下またはPBCH帯域幅拘束下で動作しているワイヤレス通信システムでは)、SSブロックは、追加のシンボルを使用することができ、したがって、十分な制御シグナリングを明らかにするために異なるSSバーストセットパターン(たとえば、SSブロックセットパターン)に関連付けられ得る(たとえば、SSブロックに関するスロット占有パターンは、ダウンリンク制御シグナリング、アップリンク制御シグナリングなどに対する制御領域など、異なるシステム要件を明らかにするように設計され得る)。本明細書で説明するSSバーストセットパターンは、SSおよびデータ制御信号が異なるサブキャリア間隔またはトーン数秘学を使用して通信され得るシナリオをさらに考慮し得る。
【００５４】
複数のSSバーストセットパターンが各キャリア帯域に対して定義され得る。異なるSSバーストセットパターンは、スロットの所与のセット内にSSブロックを含むスロットの異なるスロット占有パターン、またはスロット内にSSブロック情報を含むシンボルの異なるパターンを示し得る。異なるSSバーストセットパターンは、異なるシステム動作制約をサポートし得る。ワイヤレス通信システムは、(たとえば、SSブロックの、PSS、SSS、PBCH、PBCHに関するDMRSなどに対する)異なるSYNC間隔と非SYNCトーン間隔(たとえば、SSブロックの一部ではないデータ制御など)との間の共存をサポートし得る。たとえば、サブ6GHzの動作帯域幅を使用するワイヤレス通信システムは、15kHzまたは30kHzのSYNCサブキャリア間隔(たとえば、トーン数秘学)および15kHz、30kHz、または60kHzの非SYNCサブキャリア間隔をサポートし得る。別の例として、6GHzを超える動作帯域幅を使用するワイヤレス通信システムは、120kHzまたは240kHzのSYNCサブキャリア間隔および60kHzまたは120kHzの非SYNCサブキャリア間隔をサポートし得る。さらに、ワイヤレス通信システムは、異なるスロット長パターン(たとえば、7個のシンボル、14個のシンボルなどのスロット)をサポートし得る。
【００５５】
さらに、基地局(たとえば、gNB)は、システム動作制約に従って、SSバーストセットパターンを選択することができる。基地局は、次いで、選択されたSSバーストパターンを基地局によってサービスされるUEに伝達し得る。基地局は、PSS、SSS、PBCHのDMRS、PBCHペイロード(たとえば、マスタ情報ブロック(MIB))、残りのシステム情報(たとえば、SIB-1およびSIB-2)、他のシステム情報(たとえば、他のSIB)、無線リソース制御(RRC)シグナリング、および/またはハンドオーバメッセージの1つまたは複数の組合せを通して、SSバーストセットパターン情報の指示を伝達し得る。基地局が使用されることになるSSバーストセットパターンを選択および/または指示することを可能にすることによって、ワイヤレス通信システムは、より大きなスケジューリング柔軟性、および数秘学のより多数の組合せに従って動作する能力を含めて、高められた柔軟性を有し得る。そのような技法は、ワイヤレス通信システムが低減された帯域幅またはサブキャリア間隔で動作することをやはり可能にし得る。
【００５６】
本開示の態様について、初めにワイヤレス通信システムの文脈で説明する。様々なSSパターン構成およびSSバーストパターンシグナリング方式の例について説明する。本開示の態様について、SSバーストセットパターンをシグナリングするための技法に関する装置図、システム図、およびフローチャートによってさらに示し、それらを参照して説明する。
【００５７】
図1は、本開示の様々な態様による、ワイヤレス通信システム100の一例を示す。ワイヤレス通信システム100は、基地局105と、UE115と、コアネットワーク130とを含む。いくつかの例では、ワイヤレス通信システム100は、ロングタームエボリューション(LTE)ネットワーク、LTEアドバンスト(LTE-A)ネットワーク、またはニューラジオ(NR)ネットワークであり得る。場合によっては、ワイヤレス通信システム100は、拡張ブロードバンド通信、超高信頼(たとえば、ミッションクリティカル)通信、低レイテンシ通信、または低コストおよび低複雑度のデバイスを用いた通信をサポートし得る。
【００５８】
基地局105は、1つまたは複数の基地局アンテナを介してUE115とワイヤレス通信し得る。本明細書で説明する基地局105は、基地トランシーバ局、無線基地局、アクセスポイント、無線トランシーバ、ノードB、eノードB(eNB)、(そのいずれもgNBと呼ばれることがある)次世代ノードBもしくはギガノードB、ホームノードB、ホームeノードB、または何らかの他の好適な用語を含み得るか、または、そのように当業者によって呼ばれることがある。ワイヤレス通信システム100は、異なるタイプの基地局105(たとえば、マクロセル基地局またはスモールセル基地局)を含み得る。本明細書で説明するUE115は、マクロeNB、スモールセルeNB、gNB、リレー基地局などを含む、様々なタイプの基地局105およびネットワーク機器と通信することが可能であり得る。
【００５９】
各基地局105は、様々なUE115との通信がサポートされる特定の地理的カバレージエリア110に関連付けられ得る。各基地局105は、通信リンク125を介してそれぞれの地理的カバレージエリア110のための通信カバレージを提供し得、基地局105とUE115との間の通信リンク125は、1つまたは複数のキャリアを利用し得る。ワイヤレス通信システム100内に示された通信リンク125は、UE115から基地局105へのアップリンク送信、または基地局105からUE115へのダウンリンク送信を含んでよい。ダウンリンク送信は、順方向リンク送信と呼ばれることもあり、アップリンク送信は、逆方向リンク送信と呼ばれることもある。
【００６０】
基地局105のための地理的カバレージエリア110は、地理的カバレージエリア110の一部分のみを構成するセクタに分割され得、各セクタはセルに関連付けられ得る。たとえば、各基地局105は、マクロセル、スモールセル、ホットスポット、もしくは他のタイプのセル、またはそれらの様々な組合せのための通信カバレージを提供し得る。いくつかの例では、基地局105は可動であり、したがって、移動している地理的カバレージエリア110のための通信カバレージを提供し得る。いくつかの例では、異なる技術に関連する異なる地理的カバレージエリア110は、重複し得、異なる技術に関連する重複する地理的カバレージエリア110は、同じ基地局105によって、または異なる基地局105によってサポートされ得る。ワイヤレス通信システム100は、たとえば、異なるタイプの基地局105が様々な地理的カバレージエリア110のためのカバレージを提供する異種LTE/LTE-AまたはNRネットワークを含み得る。
【００６１】
「セル」という用語は、(たとえば、キャリア上での)基地局105との通信のために使用される論理通信エンティティを指し、同じまたは異なるキャリアを介して動作するネイバリングセルを区別するための識別子(たとえば、物理セル識別子(PCID)、仮想セル識別子(VCID))に関連付けられ得る。いくつかの例では、キャリアは、複数のセルをサポートし得、異なるセルは、異なるタイプのデバイスのためのアクセスを提供し得る異なるプロトコルタイプ(たとえば、マシンタイプ通信(MTC)、狭帯域モノのインターネット(NB-IoT)、拡張モバイルブロードバンド(eMBB)、または他のもの)に従って構成され得る。場合によっては、「セル」という用語は、その上で論理エンティティが動作する地理的カバレージエリア110(たとえば、セクタ)の一部分を指すことがある。
【００６２】
UE115は、ワイヤレス通信システム100全体にわたって分散され得、各UE115は固定またはモバイルであり得る。UE115は、モバイルデバイス、ワイヤレスデバイス、リモートデバイス、ハンドヘルドデバイス、または加入者デバイス、あるいは何らかの他の好適な用語で呼ばれることもあり、ここで、「デバイス」は、ユニット、局、端末、またはクライアントと呼ばれることもある。UE115はまた、セルラーフォン、携帯情報端末(PDA)、タブレットコンピュータ、ラップトップコンピュータ、またはパーソナルコンピュータなど、パーソナル電子デバイスであり得る。いくつかの例では、UE115はまた、器具、車両、メーターなど、様々な物品中で実装され得る、ワイヤレスローカルループ(WLL)局、モノのインターネット(IoT)デバイス、あらゆるモノのインターネット(IoE)デバイス、またはMTCデバイスなどを指すことがある。
【００６３】
MTCデバイスまたはIoTデバイスなど、いくつかのUE115は、低コストまたは低複雑度のデバイスであり得、マシン間の自動化された通信を(たとえば、マシンツーマシン(M2M)通信を介して)提供し得る。M2M通信またはMTCは、人が介在することなく、デバイスが互いにまたは基地局105と通信することを可能にするデータ通信技術を指すことがある。いくつかの例では、M2M通信またはMTCは、センサーまたはメーターを組み込んで情報を測定またはキャプチャし、その情報を利用することができる中央サーバまたはアプリケーションプログラムにその情報を中継するか、またはプログラムもしくはアプリケーションと対話する人にその情報を提示するデバイスからの通信を含み得る。いくつかのUE115は、情報を集めるか、またはマシンの自動化された挙動を可能にするように設計され得る。MTCデバイスのための適用例の例は、スマートメータリング、インベントリ監視、水位監視、機器監視、ヘルスケア監視、野生生物監視、天候事象および地質学的事象の監視、フリートの管理およびトラッキング、リモートセキュリティ検知、物理的アクセス制御、ならびにトランザクションベースのビジネスの課金を含む。
【００６４】
いくつかのUE115は、半二重通信(たとえば、同時の送信および受信ではなく、送信または受信により一方向通信をサポートするモード)など、電力消費を低減させる動作モードを採用するように構成され得る。いくつかの例では、半二重通信は、低減されたピークレートで実行され得る。UE115に対する他の電力節約技法は、アクティブ通信に関与していない場合、または(たとえば、狭帯域通信に従って)限られた帯域幅上で動作しているとき、電力節約「ディープスリープ」モードに入ることを含む。場合によっては、UE115は、クリティカル機能(たとえば、ミッションクリティカル機能)をサポートするように設計されることがあり、ワイヤレス通信システム100は、これらの機能のために超高信頼性通信を提供するように構成されることがある。
【００６５】
場合によっては、UE115はまた、(たとえば、ピアツーピア(P2P)プロトコルまたはデバイスツーデバイス(D2D)プロトコルを使用して)他のUE115と直接通信することが可能であり得る。D2D通信を利用するUE115のグループのうちの1つまたは複数が、基地局105の地理的カバレージエリア110内にあり得る。そのようなグループ内の他のUE115は、基地局105の地理的カバレージエリア110の外にあるか、またはさもなければ基地局105からの送信を受信できないことがある。場合によっては、D2D通信を介して通信するUE115のグループは、各UE115がグループ内のあらゆる他のUE115に送信する1対多(1:M)システムを利用し得る。場合によっては、基地局105は、D2D通信のためのリソースのスケジューリングを促進する。他の場合には、D2D通信は、基地局105の関与なしにUE115間で行われる。
【００６６】
基地局105は、コアネットワーク130と通信し、互いと通信してもよい。たとえば、基地局105は、バックホールリンク132を通して(たとえば、S1または別のインターフェースを介して)コアネットワーク130とインターフェースし得る。基地局105は、バックホールリンク134上で(たとえば、X2または他のインターフェースを介して)、直接的(たとえば、基地局105間で直接)または間接的に(たとえば、コアネットワーク130を介して)のいずれかで互いと通信し得る。
【００６７】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、発展型パケットコア(EPC)であり得、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、EPCに関連する基地局105によってサービスされるUE115のためのモビリティ、認証、およびベアラ管理など、非アクセス層(たとえば、制御プレーン)機能を管理し得る。ユーザIPパケットは、それ自体がP-GWに接続され得るS-GWを通して転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスへのアクセスを含み得る。
【００６８】
基地局105などのネットワークデバイスのうちの少なくともいくつかは、アクセスネットワークエンティティなどの下位構成要素を含んでよく、アクセスネットワークエンティティは、アクセスノードコントローラ(ANC)の一例であってよい。各アクセスネットワークエンティティは、ラジオヘッド、スマートラジオヘッド、または送信/受信ポイント(TRP)と呼ばれることがある、いくつかの他のアクセスネットワーク送信エンティティを通してUE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されてよく、または単一のネットワークデバイス(たとえば、基地局105)内に統合され得る。
【００６９】
ワイヤレス通信システム100は、一般に、300MHzから300GHzの範囲で、1つまたは複数の周波数帯域を使用して動作し得る。概して、300MHzから3GHzの領域は、超高周波(UHF:ultra-high frequency)領域またはデシメートル帯域として知られているが、これは、波長の長さが、およそ1デシメートルから1メートルに及ぶからである。UHF波は、建物および環境特性によってブロックされ得るか、またはリダイレクトされ得る。しかしながら、これらの波は、マクロセルが屋内に位置するUE115にサービスを提供するのに十分に構造を貫通し得る。UHF波の送信は、300MHz以下のスペクトルの高周波(HF)部分または超高周波(VHF:very high frequency)部分のより低い周波数およびより長い波を使用する送信と比較して、より小型のアンテナおよびより短い距離(たとえば、100km未満)に関連付けられ得る。
【００７０】
ワイヤレス通信システム100はまた、センチメートル帯域としても知られている、3GHzから30GHzまでの周波数帯域を使用する超高周波(SHF:super high frequency)領域内で動作し得る。SHF領域は、他のユーザからの干渉を許容し得るデバイスによって日和見的に使用され得る5GHz産業科学医療(ISM)帯域などの帯域を含む。
【００７１】
ワイヤレス通信システム100は、ミリメートル帯域としても知られている、(たとえば、30GHzから300GHzの)スペクトルの極高周波(EHF:extremely high frequency)領域内で動作することもできる。いくつかの例では、ワイヤレス通信システム100は、UE115と基地局105との間のミリメートル波(mmW)通信をサポートすることができ、それぞれのデバイスのEHFアンテナは、UHFアンテナよりも、さらに小さくてもよく、より密に間隔があけられてもよい。場合によっては、これは、UE115内のアンテナアレイの使用を容易にし得る。しかしながら、EHF送信の伝搬は、SHF送信またはUHF送信よりもさらに大きい大気減衰およびより短い距離を受けることがある。本明細書で開示する技法は、1つまたは複数の異なる周波数領域を使用する送信にわたって採用されてよく、これらの周波数領域にわたる帯域の指定された使用は、国ごとにまたは規制団体ごとに異なり得る。
【００７２】
場合によっては、ワイヤレス通信システム100は、認可および無認可RFスペクトル帯域の両方を使用し得る。たとえば、ワイヤレス通信システム100は、5GHz ISM帯域などの無認可帯域において、認可支援アクセス(LAA)、LTE無認可(LTE U:LTE Unlicensed)無線アクセス技術、またはNR技術を採用し得る。無認可RFスペクトル帯域中で動作するとき、基地局105およびUE115などのワイヤレスデバイスは、データを送信する前に周波数チャネルがクリアであることを保証するために、リッスンビフォアトーク(LBT)手順を採用し得る。場合によっては、無認可帯域の中での動作は、認可帯域(たとえば、LAA)の中で動作するCCとともにCA構成に基づいてよい。無認可スペクトルでの動作は、ダウンリンク送信、アップリンク送信、ピアツーピア送信、またはそれらの組合せを含んでよい。無認可スペクトルでの複信は、周波数分割複信(FDD)、時分割複信(TDD)、またはその両方の組合せに基づいてよい。
【００７３】
いくつかの例では、基地局105またはUE115は、複数のアンテナを備えてよく、これらのアンテナは、送信ダイバーシティ、受信ダイバーシティ、多入力多出力(MIMO)通信またはビームフォーミングなどの技法を採用するために使用され得る。たとえば、ワイヤレス通信システム100は、送信デバイス(たとえば、基地局105)と受信デバイス(たとえば、UE115)との間の送信方式を使用することができ、ここで、送信デバイスは、複数のアンテナを備え、受信デバイスは、1つまたは複数のアンテナを備える。MIMO通信は、空間多重化と呼ばれることがある、異なる空間レイヤを介して複数の信号を送信または受信することによってスペクトル効率を高めるためにマルチパス信号伝搬を採用することができる。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコード語)または異なるデータストリームに関連するビットを搬送し得る。異なる空間レイヤは、チャネルの測定および報告のために使用される異なるアンテナポートに関連付けられてよい。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００７４】
空間フィルタリング、指向性送信、または指向性受信と呼ばれることもあるビームフォーミングは、送信デバイスと受信デバイスとの間の空間経路に沿ってアンテナビーム(たとえば、送信ビームまたは受信ビーム)を成形またはステアリングするために、送信デバイスまたは受信デバイス(たとえば、基地局105またはUE115)において使用され得る信号処理技法である。ビームフォーミングは、アンテナアレイに対して特定の配向で伝搬する信号が強め合う干渉を受け、他の信号が弱め合う干渉を受けるように、アンテナアレイのアンテナ要素を介して通信される信号を組み合わせることによって達成され得る。アンテナ要素を介して通信される信号の調整は、送信デバイスまたは受信デバイスが、そのデバイスに関連するアンテナ要素の各々を介して搬送される信号に対して一定の振幅オフセットおよび位相オフセットを適用することを含み得る。アンテナ要素の各々に関連する調整は、(たとえば、送信デバイスまたは受信デバイスのアンテナアレイに対する、または何らかの他の配向に対する)特定の配向に関連するビームフォーミング重みセットによって定義され得る。
【００７５】
一例では、基地局105は、UE115との指向性通信のためのビームフォーミング動作を行うために、複数のアンテナまたはアンテナアレイを使用し得る。たとえば、いくつかの信号(たとえば、SS、基準信号、ビーム選択信号、または他の制御信号)は、異なる方向に基地局105によって複数回送信され得、これらの信号は、異なる送信方向に関連する異なるビームフォーミング重みセットに従って送信されている信号を含み得る。異なるビーム方向の送信は、基地局105による後続の送信および/または受信のためのビーム方向を(たとえば、基地局105、またはUE115などの受信デバイスによって)識別するために使用され得る。特定の受信デバイスに関連するデータ信号など、いくつかの信号は、単一のビーム方向(たとえば、UE115など、受信デバイスに関連する方向)に基地局105によって送信され得る。いくつかの例では、単一のビーム方向に沿った送信に関連するビーム方向は、異なるビーム方向に送信された信号に少なくとも部分的に基づいて決定され得る。たとえば、UE115は、異なる方向に基地局105によって送信された信号のうちの1つまたは複数を受信することができ、UE115は、UE115が最高信号品質、またはさもなければ、許容信号品質で受信した信号の指示を基地局105に報告することができる。これらの技法について、基地局105によって1つまたは複数の方向に送信される信号を参照して説明するが、UE115は、(たとえば、UE115による後続の送信または受信のためのビーム方向を識別するために)信号を異なる方向に複数回送信するための、または(たとえば、データを受信デバイスに送信するために)信号を単一の方向に送信するために同様の技法を採用し得る。
【００７６】
受信デバイス(たとえば、mmW受信デバイスの一例であり得るUE115)は、SS、基準信号、ビーム選択信号、または他の制御信号など、様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、または受信された信号を処理することによって、複数の受信方向を試みることができ、それらのいずれも、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従った聴取に少なくとも部分的に基づいて決定されたビーム方向(たとえば、複数のビーム方向に従った聴取に少なくとも部分的に基づいて、最高信号強度、最高信号対雑音比、または別様に、許容信号品質を有すると決定されたビーム方向)で整合され得る。
【００７７】
場合によっては、基地局105またはUE115のアンテナは、MIMO動作をサポートし得るか、またはビームフォーミングを送信もしくは受信し得る、1つまたは複数のアンテナアレイ内に位置し得る。たとえば、1つまたは複数の基地局アンテナまたはアンテナアレイは、アンテナタワーなどのアンテナアセンブリにおいて併置されてよい。場合によっては、基地局105に関連するアンテナまたはアンテナアレイは、多様な地理的ロケーションに位置し得る。基地局105は、基地局105がUE115との通信のビームフォーミングをサポートするために使用し得るアンテナポートのいくつかの行および列を有するアンテナアレイを有し得る。同様に、UE115は、様々なMIMO動作またはビームフォーミング動作をサポートし得る1つまたは複数のアンテナアレイを有し得る。
【００７８】
場合によっては、ワイヤレス通信システム100は、階層化プロトコルスタックに従って動作するパケットベースネットワークであり得る。ユーザプレーンでは、ベアラまたはパケットデータコンバージェンスプロトコル(PDCP)レイヤにおける通信は、IPベースであり得る。無線リンク制御(RLC)レイヤは、場合によっては、論理チャネル上で通信するためにパケットセグメンテーションおよびリアセンブリを実行し得る。媒体アクセス制御(MAC)レイヤは、優先度処理と、トランスポートチャネルへの論理チャネルの多重化とを実行し得る。MACレイヤは、MACレイヤにおける再送信を行ってリンク効率を改善するために、ハイブリッド自動再送要求(HARQ)を使用することもできる。制御プレーンでは、RRCプロトコルレイヤは、ユーザプレーンデータのための無線ベアラをサポートする、UE115と基地局105またはコアネットワーク130との間のRRC接続の確立、構成、および保守を行ってもよい。物理(PHY)レイヤにおいて、トランスポートチャネルは物理チャネルにマッピングされ得る。
【００７９】
場合によっては、UE115および基地局105は、データが正常に受信される可能性を高めるようにデータの再送信をサポートし得る。HARQフィードバックは、データが通信リンク125上で正しく受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線状態(たとえば、信号対雑音状態)においてMACレイヤにおけるスループットを改善し得る。場合によっては、ワイヤレスデバイスが同スロットHARQフィードバックをサポートし得、ここで、デバイスは、特定のスロット内の前のシンボル内で受信されたデータについて、そのスロット内でHARQフィードバックを提供し得る。他の場合には、デバイスは、後続のスロット内で、または何らかの他の時間間隔に従ってHARQフィードバックを提供し得る。
【００８０】
LTEまたはNRにおける時間間隔は、たとえば、Ts=1/30,720,000秒のサンプリング期間を指すことがある基本時間単位の倍数で表されてよい。通信リソースの時間間隔は、各々が10ミリ秒(ms)の持続期間を有する無線フレームに従って編成されてよく、フレーム期間は、Tf=307,200Tsと表され得る。無線フレームは、0から1023に及ぶシステムフレーム番号(SFN)によって識別され得る。各フレームは、0から9に番号付けされた10個のサブフレームを含んでよく、各サブフレームは、1msの持続期間を有し得る。サブフレームはさらに、2つのスロットへと分割されることがあり、これらの各々が、0.5msの持続期間を有し、各スロットは、(たとえば、各シンボル期間の先頭に追加されるサイクリックプレフィックスの長さに応じて)6個または7個の変調シンボル期間を含み得る。サイクリックプレフィックスを除いて、各シンボル期間は、2048個のサンプル期間を含み得る。場合によっては、サブフレームは、ワイヤレス通信システム100の最小スケジューリング単位であってよく、送信時間間隔(TTI)と呼ばれることがある。他の場合には、ワイヤレス通信システム100の最小スケジューリング単位はサブフレームよりも短いことがあるか、または(たとえば、短縮TTI(sTTI)のバーストにおいて、またはsTTIを使用する選択されたコンポーネントキャリアにおいて)動的に選択されることがある。
【００８１】
いくつかのワイヤレス通信システムでは、スロットは、1個または複数のシンボルを含む複数のミニスロットにさらに分割され得る。場合によっては、ミニスロットのシンボルまたはミニスロットは、スケジューリングの最小単位であり得る。各シンボルは、たとえば、サブキャリア間隔または動作の周波数帯域に応じて、持続期間の点で異なり得る。さらに、いくつかのワイヤレス通信システムは、複数のスロットまたはミニスロットが一緒にアグリゲートされ、UE115と基地局105との間の通信のために使用されるスロットアグリゲーションを実装し得る。
【００８２】
「キャリア」という用語は、通信リンク125上で通信をサポートするための定義された物理レイヤ構造を有するRFスペクトルリソースのセットを指す。たとえば、通信リンク125のキャリアは、所与の無線アクセス技術に関する物理レイヤチャネルに従って動作するRFスペクトル帯域の一部分を含み得る。各物理レイヤチャネルは、ユーザデータ、制御情報、または他のシグナリングを搬送することができる。キャリアは、あらかじめ定義された周波数チャネル(たとえば、E-UTRA絶対無線周波数チャネル番号(EARFCN))に関連付けられてよく、UE115が発見するためのチャネルラスタに従って配置されてよい。キャリアは、ダウンリンクまたはアップリンク(たとえば、FDDモードで)であってよいか、またはダウンリンク通信およびアップリンク通信を(たとえば、TDDモードで)搬送するように構成されてよい。いくつかの例では、キャリア上で送信される信号波形は(たとえば、OFDMまたはDFT-s-OFDMなど、マルチキャリア変調(MCM)技法を使用して)複数のサブキャリアから構成され得る。
【００８３】
キャリアの組織構造は、異なる無線アクセス技術(たとえば、LTE、LTE-A、NRなど)に対して異なってよい。たとえば、キャリア上の通信は、TTIまたはスロットに従って編成されてよく、その各々は、ユーザデータ、ならびに、制御情報、またはユーザデータの復号をサポートするためのシグナリングを含み得る。キャリアは、専用捕捉シグナリング(たとえば、SSまたはシステム情報など)、およびキャリアに関する動作を協調させる制御シグナリングを含んでもよい。いくつかの例では(たとえば、キャリアアグリゲーション構成では)、キャリアは、捕捉シグナリングまたは他のキャリアに関する動作を協調させる制御シグナリングを有してもよい。
【００８４】
物理チャネルは、様々な技法に従ってキャリア上で多重化され得る。物理制御チャネルおよび物理データチャネルは、ダウンリンクキャリア上で、たとえば、時分割多重化(TDM)技法、周波数分割多重化(FDM)技法、またはハイブリッドTDM-FDM技法を使用して多重化され得る。いくつかの例では、物理制御チャネル内で送信される制御情報は、異なる制御領域の間に(たとえば、共通制御領域または共通探索空間と1つまたは複数のUE固有の制御領域またはUE固有の探索空間との間に)カスケード方式で分散され得る。
【００８５】
キャリアは、RFスペクトルの特定の帯域幅に関連付けられてよく、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアに対してあらかじめ決定された、いくつかの帯域幅(たとえば、1.4、3、5、10、15、20、40、または80MHz)のうちの1つであってよい。いくつかの例では、各被サービスUE115は、キャリア帯域幅のうちの部分またはすべての上で動作するように構成され得る。他の例では、いくつかのUE115は、キャリア内のあらかじめ定義された部分または範囲(たとえば、サブキャリアまたはRBのセット)に関連付けられる狭帯域プロトコルタイプを使用して動作するように構成され得る(たとえば、狭帯域プロトコルタイプの「帯域内」展開)。
【００８６】
MCM技法を採用するシステムでは、リソース要素は、1個のシンボル期間(たとえば、1個の変調シンボルの持続期間)および1個のサブキャリアからなり得、ここで、シンボル期間およびサブキャリア空間は逆関係にある。各リソース要素によって搬送されるビットの数は、変調方式(たとえば、変調方式の順序)に依存し得る。したがって、UE115が受信するリソース要素が多いほど、かつ変調方式が高度であるほど、UE115に対するデータレートは高くなり得る。MIMOシステムでは、ワイヤレス通信リソースは、RFスペクトルリソース、時間リソース、および空間リソース(たとえば、空間レイヤ)の組合せを指すことがあり、複数の空間レイヤの使用は、UE115との通信のためのデータレートをさらに増大し得る。
【００８７】
ワイヤレス通信システム100のデバイス(たとえば、基地局105またはUE115)は、特定のキャリア帯域幅上の通信をサポートするハードウェア構成を有してよいか、またはキャリア帯域幅のセットのうちの1つの上の通信をサポートするように構成可能であり得る。いくつかの例では、ワイヤレス通信システム100は、2つ以上の異なるキャリア帯域幅に関連するキャリアを介して同時通信をサポートし得る基地局105および/またはUEを含み得る。
【００８８】
ワイヤレス通信システム100は、複数のセルまたはキャリア上でのUE115との通信、すなわち、キャリアアグリゲーション(CA)またはマルチキャリア動作と呼ばれることがある特徴をサポートし得る。UE115は、キャリアアグリゲーション構成に従って、複数のダウンリンクCCと1つまたは複数のアップリンクCCとで構成され得る。キャリアアグリゲーションは、FDDコンポーネントキャリアとTDDコンポーネントキャリアの両方とともに使用され得る。
【００８９】
場合によっては、ワイヤレス通信システム100は、拡張コンポーネントキャリア(eCC)を利用し得る。eCCは、より広いキャリアまたは周波数チャネル帯域幅、より短いシンボル持続期間、より短いTTI持続期間、または修正された制御チャネル構成を含む、1つまたは複数の特徴によって特徴づけられ得る。場合によっては、eCCは、(たとえば、複数のサービングセルが準最適または理想的でないバックホールリンクを有するとき)キャリアアグリゲーション構成またはデュアル接続性構成に関連付けられ得る。eCCはまた、(2つ以上の事業者が、スペクトルを使用することを許可された場合)無認可スペクトルまたは共有スペクトルにおいて使用するために構成され得る。広キャリア帯域幅によって特徴づけられるeCCは、全キャリア帯域幅を監視することが可能でないか、またはさもなければ(たとえば、電力を節約するために)限られたキャリア帯域幅を使用するように構成されるUE115によって利用され得る1つまたは複数のセグメントを含み得る。
【００９０】
場合によっては、eCCは、他のCCとは異なるシンボル持続期間を利用してよく、そのことは、他のCCのシンボル持続期間と比較して短縮されたシンボル持続期間の使用を含んでよい。より短いシンボル持続期間は、隣接するサブキャリア同士の間の間隔の増大に関連付けられ得る。eCCを利用する、UE115または基地局105などのデバイスは、短縮されたシンボル持続期間(たとえば、16.67マイクロ秒)において広帯域信号を(たとえば、周波数チャネルまたは20、40、60、80MHzなどのキャリア帯域幅に従って)送信し得る。eCC内のTTIは、1個または複数のシンボルからなり得る。場合によっては、TTI持続期間(すなわち、TTI内のシンボル期間の数)は可変であり得る。
【００９１】
NRシステムなどのワイヤレス通信システムは、とりわけ、認可スペクトル帯域、共有スペクトル帯域、および無認可スペクトル帯域の任意の組合せを利用し得る。eCCシンボル持続期間およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有によって、NR共有スペクトルは、スペクトル利用率およびスペクトル効率を高め得る。
【００９２】
同期(たとえば、セル捕捉)は、ネットワークエンティティ(たとえば、基地局105)によって送信されたSSまたはチャネルを使用して実行され得る。場合によっては、基地局105は、発見基準信号を含むSSブロック(SSバーストと呼ばれることがある)を送信し得る。たとえば、SSブロックは、PSS、SSS、PBCH、または他のSS(たとえば、3次同期信号(TSS))を含み得る。いくつかの例では、SSブロックの中に含まれる信号は、時分割多重化されたPSS、SSS、PBCH、および/または他のSSを含んでよい。たとえば、SSブロックの中に含まれる信号は、時分割多重化されている第1のPBCH、SSS、第2のPBCH、およびPSS(示された順序で送信される)、または時分割多重化された第1のPBCH、SSS、PSS、および第2のPBCH(示された順序で送信される)などを含んでよい。他の例では、PBCH送信は、SSブロック時間リソースのサブセット内で(たとえば、SSブロックの2個以上のシンボル内で)送信され得、SS(たとえば、PSSおよびSSS)は、SSブロック時間リソースの別のサブセット内で(たとえば、SSブロックの2個のシンボル内で)送信され得る。場合によっては、PBCH送信はSS送信を使用して復調され得、それにおいて、SS送信は、UEがPBCH送信を復調することを可能にし得るチャネル推定のために使用される。いくつかの例では、PBCH送信は、基準信号送信、SS送信、またはそれらの組合せを使用して復調され得る。
【００９３】
上記で論じたように、いくつかの例では、基地局105は、システム捕捉においてUE115によって使用され得るSSブロックを送信し得る。SSブロックは、SSブロックの異なる時間リソース内で送信され得る、PBCH送信とSS送信とを含み得る。さらに、ミリメートル波(mmW)送信周波数を使用する展開では、SSバースト内のビーム掃引を使用して複数のSSブロックが異なる方向に送信され得、SSバーストは、SSバーストセットに従って周期的に送信され得る。基地局105がオムニ指向的に送信し得る場合、SSブロックは、構成された周期性に従って周期的に送信され得る。本明細書で説明する技法によれば、SSブロックまたはSSバーストセットは、SSバーストセットパターンに従って(たとえば、動作キャリア帯域、SYNC間隔、データトーン間隔など、異なるシステム動作制約に対して定義され得る異なるスロット占有パターンを用いて)送信され得る。
【００９４】
図2は、本開示の様々な態様による、SSバーストセットパターンをシグナリングするための技法をサポートするワイヤレス通信システム200の一例を示す。ワイヤレス通信システム200は、図1を参照して上記で説明したように、対応するデバイスの態様の例であり得る、基地局105-aおよびUE115-aを含む。図2の例では、ワイヤレス通信システム200は、LTE、5G、またはNR RATなどの無線アクセス技術(RAT)に従って動作し得るが、本明細書で説明する技法は、任意のRATと、2つ以上の異なるRATを同時に使用し得るシステムとに適用され得る。
【００９５】
基地局105-aは、ダウンリンク通信205およびアップリンク通信210上でUE115-aと通信し得る。場合によっては、基地局105-aは、SSバーストセットパターン220に従って送信され得、システム捕捉のためにUE115-aによって使用され得る、SSブロック215送信のためにリソースを割り振り得る。場合によっては、SSブロック215のSSバーストセットパターン220は、基地局105-aによって構成可能であり(たとえば、基地局105-aは、システム制約に基づいて、SSバーストセットパターン220を決定することができるか、あらかじめ決定されたSSバーストセットパターン220を識別することができ)、SSブロック215のタイミングまたは構成に関する情報は、SSブロック215によって提供され得る(たとえば、基地局105-aは、SSブロック215-aのPBCHペイロードを介してSSバーストパターン220をUE115-aに指示し得る)。
【００９６】
他の例では、SSバーストセットパターンは、ネットワークによってあらかじめ定義され得るか、または構成され得る(たとえば、SS数秘学およびデータ数秘学、サブキャリア間隔、またはワイヤレス通信システム200に関するSSおよびデータ送信に関連するシンボル持続期間に基づいて)。そのような場合、基地局105-aは、同期数秘学(たとえば、SSブロック数秘学)およびデータ数秘学の1つまたは複数の組合せをPSS、SSS、PBCH、PBCHのDMRS、MIB、SIB、PDCCH、RRCシグナリング、またはハンドオーバメッセージを介して、UE115-aに指示し得る。SS数秘学およびデータ数秘学を識別した後で、UE115-aは、SSバーストセットパターンを暗示的に導出または決定することができる。
【００９７】
場合によっては、基地局105-aは、SSバーストを送信するためにビーム掃引を使用することができ(たとえば、基地局105-aは、mmW周波数を使用して送信することができ)、SSブロック215は、ビーム掃引を使用して送信され得る。mmW周波数および/またはビーム掃引を使用する例では、ダウンリンク通信205は、第1の方向に送信される第1のSSブロック215-aで開始し、第N-1の方向に送信される第N-1のSSブロック215で終了する、ビーム掃引パターンにおいて異なる送信ビームを使用して送信され得るいくつかのSSブロック215を含み得る、SSバーストを含み得る。SSバーストセットパターンは、本明細書で論じるように、SSバースト全体の、または他の場合には、SSバーストの部分のパターンまたは順序を指すことがある(たとえば、SSバーストセットパターンは、SSバースト、またはいくつかの選択されたSSブロックに関するパターンを指示し得る)。
【００９８】
いくつかの例では、PBCH送信225は、SSS送信230またはPSS送信235よりも大きい周波数帯域幅を有し得るが、他の例では(たとえば、PBCH帯域幅制約が識別されているとき)、周波数帯域幅は同じであり得る。PBCH帯域幅制約が存在する場合(たとえば、PBCH送信225、SSS送信230、およびPSS送信235の周波数帯域幅が同じ場合)、追加のシンボルがSSブロック215内に含まれてよいが、これは追加のシンボルは、PBCHペイロード情報を伝達するために使用され得るためである。本例では、SSブロック215の各々は、5個のシンボルを含み得る。これらのシンボルのうちの3個は、PBCH送信225(たとえば、PBCHペイロード)を含み得る。他の2個のシンボルは、SSS送信230およびPSS送信235などのSS送信を含み得る。以下の図面は、5個のシンボルを含むSSブロックに関する例示的なSSバーストセットパターンを示し得る。本明細書で説明する技法によれば、上記の説明および以下の例示的なSSバーストパターンは、本開示の範囲から逸脱せずに、アナロジーによって、異なるキャリア帯域幅、異なるPBCH帯域幅制約、異なるSSブロックサイズ(たとえば、4個のシンボル、6個のシンボル、7個のシンボルなどを含むSSブロック)、異なるSSサブキャリア間隔、異なるデータサブキャリア間隔、異なるギャップシンボル実装要件などのシナリオに拡張され得る。
【００９９】
図3は、本開示の様々な態様による、SSバーストセットパターンをシグナリングするための技法をサポートするスロット300のセットの一例を示す。いくつかの例では、スロット300のセットは、図1および図2を参照して説明したように、ワイヤレス通信システム100またはワイヤレス通信システム200の態様を実装することができる。図3の例では、スロット300のセットは、基地局によって識別され得る(たとえば、基地局は、SSバーストセットパターンを構成することができるか、または基地局は、上記で論じたように、数秘学に基づいてあらかじめ構成されたパターンを識別することができる)。この例では、スロット300のセットは、スロットのセット305に関するスロット占有パターンを指示し得る。すなわち、スロット300のセットは、スロットのセット305のうちのどのスロット310がSSブロックを含むかを指示し得る。たとえば、スロット300のセットは、スロット310-aがSSブロックを含み得、スロット310-bが、空であり得るか、または他の目的で利用可能であり得ることを指示し得る。本例では、スロット300のセットは、スロット0〜3、5〜8、10〜13、および15〜18がSSブロックを含み得、スロット4、9、14、および19がSSブロックを含まず、他の目的で利用可能であり得ることを指示し得る。図3は、SSバーストセットパターンの一例であり、他のSSバーストセットパターンは、本開示の範囲から逸脱せずに、異なるサイズのスロットのセットに関する(たとえば、異なる数のスロットを含むスロットのセット、各々が異なる数のシンボルを有するスロットに関する)異なるスロット占有パターンを指示し得る。
【０１００】
図4は、本開示の様々な態様による、SSバーストセットパターンをシグナリングするための技法をサポートするSSバーストセットパターン400の一例を示す。いくつかの例では、SSバーストセットパターン400は、図1および図2を参照して説明したように、ワイヤレス通信システム100またはワイヤレス通信システム200の態様を実装することができる。図4の例では、SSバーストセットパターン400は、基地局および/またはUEによって識別され得る。この例では、SSバーストセットパターン400は、1つまたは複数のスロット内の1つまたは複数のSSブロックの位置を指示し得る(たとえば、SSバーストセットパターン400は、どのシンボルが1つまたは複数のスロット内にSSブロック情報を含むかを指示し得る)。以下の説明では、各スロットは7個のシンボルを含み得(たとえば、各矩形は、それぞれのサブキャリア間隔または数秘学に関するシンボルを表し得)、各スロットは、異なる時間持続期間に及び得る(たとえば、数秘学に応じて)。たとえば、時間持続期間430は、使用される数秘学に応じて、2個の60kHzシンボル、4個の120kHzシンボル、または8個の240kHzシンボルを含み得る。本明細書で説明する技法によれば、SSバーストセットパターンは、同期またはSSブロック数秘学、ならびにデータ/制御送信のために使用される数秘学に基づいて識別され得る。
【０１０１】
本例では、各SSブロックは、4個のシンボルを含み得、SSバーストセットパターン400は、4個のSSブロックに関するシンボルロケーションを含み得る。さらに、SSバーストセットパターンは、(SSブロックに対して使用される数秘学を定義または指示し得る)120kHzサブキャリア間隔を使用して、SSブロックに基づいて識別され得る。
【０１０２】
図5は、本開示の様々な態様による、SSバーストセットパターンをシグナリングするための技法をサポートするSSブロック構成500の一例を示す。いくつかの例では、SSブロック構成500は、図1および図2を参照して説明したように、ワイヤレス通信システム100またはワイヤレス通信システム200の態様を実装することができる。上記で論じたように、SSブロックは、PSS、SSS、およびPBCHペイロード情報に関するシンボルを含み得る。場合によっては、帯域幅制約(たとえば、PBCH帯域幅制約)は、SSブロック内にいくつのシンボルが含まれ得るか(たとえば、必要なPBCH情報を伝達するために、いくつのシンボルが必要とされるか)を決定することができるか、またはそれを左右し得る。たとえば、SSブロック505は、PBCHシンボルがPSSシンボルおよびSSSシンボルと比較してより大きな帯域幅上で送信され得るように、任意のPBCH帯域幅制約に関連付けられ得ない(たとえば、すなわち比較的柔軟なPBCH帯域幅制約に関連付けられ得る)。そのような場合、SSブロック505は、4個のシンボルを含み得る(たとえば、2個のシンボルがPBCH情報を伝達する)。PBCH帯域幅制約が存在する場合(たとえば、SSブロック510に関するように)、必要なPBCHペイロード情報を伝達するために、追加のシンボルが必要とされ得る。たとえば、SSブロック510は、5個のシンボルを含み得(たとえば、3個のシンボルがPBCH情報を伝達する)、すべてのシンボルは同じ帯域幅に従って送信され得る。すなわち、いくつかのキャリア周波数(たとえば、SSブロック510に関連する)は、低減された帯域幅に関連付けられ得る(たとえば、これは、必要なPBCHペイロードをサポートするためのPBCHシンボルの増大をもたらし得る)。帯域幅が広帯域PBCHをサポートしない他の例では、SSブロックは、帯域幅制約(たとえば、PBCH帯域幅制約)およびPBCHペイロード情報の量に応じて、さらに多くのシンボル(たとえば、6個、7個など)を含み得る。
【０１０３】
図6Aおよび図6Bは、本開示の様々な態様による、SSバーストセットパターンをシグナリングするための技法をサポートするSSバーストセットパターン600およびSSバーストセットパターン601の例を示す。いくつかの例では、SSバーストセットパターン600およびSSバーストセットパターン601は、図1および図2を参照して説明したように、ワイヤレス通信システム100またはワイヤレス通信システム200の態様を実装することができる。図6の例では、SSバーストセットパターン600および/またはSSバーストセットパターン601は、基地局および/またはUEによって識別され得る。この例では、SSバーストセットパターン600およびSSバーストセットパターン601は、1つまたは複数のスロット内の1つまたは複数のSSブロックの位置を指示し得る(たとえば、SSバーストセットパターン600およびSSバーストセットパターン601は、どのシンボルが1つまたは複数のスロット内にSSブロック情報を含むかを指示し得る)。以下の説明では、各スロットは7個のシンボルを含み得(たとえば、各矩形は、それぞれのサブキャリア間隔または数秘学に関するシンボルを表し得)、各スロットは、異なる時間持続期間に及び得る(たとえば、数秘学に応じて)。たとえば、時間持続期間620は、使用される数秘学に応じて、2個の15kHzシンボル、4個の30kHzシンボル、または8個の60kHzシンボルを含み得る。本明細書で説明する技法によれば、SSバーストセットパターンは、RF帯域、同期またはSSブロック数秘学、ならびにデータ/制御送信のために使用される数秘学に基づいて識別され得る。本例では、各SSブロックは、5個のシンボルを含み得、SSバーストセットパターン600およびSSバーストセットパターン601は、2個のSSブロックに関するシンボルロケーションを含み得る。さらに、図6Aおよび図6BのSSバーストセットパターンは、(SSブロックに対して使用される数秘学を定義または指示し得る)15kHzサブキャリア間隔を使用して、SSブロックに基づいて識別され得る。
【０１０４】
たとえば、基地局は、データ/制御送信が15kHzサブキャリア間隔を使用する場合、SSバーストセットパターン600を識別または選択することができる。SSバーストセットパターン600は、15kHzスロットの開始時にダウンリンク制御に対して2個のシンボル(たとえば、2個の15kHzシンボル)を保存するために、ならびにアップリンク制御に対して14個のシンボルのスロットの終了時に2個のシンボルを保存するために、このデータ/制御数秘学に基づいて選択され得る。すなわち、SSバーストセットパターン600は、ダウンリンク制御領域に対して2個の利用可能な15kHzシンボル(たとえば、時間持続期間620にわたる)、ならびにデータ/制御送信が15kHzサブキャリア間隔を使用するシナリオでは、ガード期間またはアップリンク制御領域に対して2個の利用可能な15kHzシンボル(たとえば、時間持続期間625にわたる)を可能にし得る。すなわち、SSバーストセットパターン600は、2個の空のまたは制御/データに対して利用可能な15kHzシンボル、続いてSSブロック1に対して5個の15kHzシンボル、続いてSSブロック2に対して5個の15kHzシンボル、および続いて2個の空のまたは制御/データに対して利用可能な15kHzシンボルの順序を含み得るか、またはそれを識別し得る。
【０１０５】
さらに、基地局は、データ/制御送信が30kHzサブキャリア間隔を使用する場合、SSバーストセットパターン601を識別または選択することができる。すなわち、制御/データ送信が30kHzサブキャリア間隔に関連する数秘学を使用し、同期送信(たとえば、SSブロック)が15kHzサブキャリア間隔に関連する数秘学を使用する場合、SSバーストセットパターン601が実装され得る。SSバーストセットパターン601は、アップリンク制御に対して2個の保存された30kHzシンボル(たとえば、時間持続期間630にわたる)およびアップリンク制御またはガード期間に対して2個の保存された30kHzシンボル(たとえば、時間持続期間635にわたる)を可能にし得る。後続のスロットは、アップリンク制御に対して2個の保存された30kHzシンボル(たとえば、時間持続期間640にわたる)およびアップリンク制御またはガード期間に対して2個の保存された30kHzシンボル(たとえば、時間持続期間645にわたる)を可能にし得る。すなわち、SSバーストセットパターン601は、2個の空のまたは制御/データに対して利用可能な30kHzシンボル、続いてSSブロック1に対して5個の15kHzシンボル、続いてギャップ(たとえば、制御/データ)に対して4個の30kHzシンボル、続いて、SSブロック2に対して5個の15kHzシンボル、続いて2個の空のまたは制御/データに対して利用可能な30kHzシンボルの順序を含み得るか、またはそれを識別し得る。
【０１０６】
図7Aおよび図7Bは、本開示の様々な態様による、SSバーストセットパターンをシグナリングするための技法をサポートするSSバーストセットパターン700およびSSバーストセットパターン701の例を示す。いくつかの例では、SSバーストセットパターン700およびSSバーストセットパターン701は、図1および図2を参照して説明したように、ワイヤレス通信システム100またはワイヤレス通信システム200の態様を実装することができる。図7の例では、SSバーストセットパターン700および/またはSSバーストセットパターン701は、基地局および/またはUEによって識別され得る。この例では、SSバーストセットパターン700およびSSバーストセットパターン701は、1つまたは複数のスロット内の1つまたは複数のSSブロックの位置を指示し得る(たとえば、SSバーストセットパターン700およびSSバーストセットパターン701は、どのシンボルが1つまたは複数のスロット内にSSブロック情報を含むかを指示し得る)。以下の説明では、各スロットは7個のシンボルを含み得(たとえば、各矩形は、それぞれのサブキャリア間隔または数秘学に関するシンボルを表し得)、各スロットは、異なる時間持続期間に及び得る(たとえば、数秘学に応じて)。たとえば、時間持続期間730は、使用される数秘学に応じて、1個の15kHzシンボル、2個の30kHzシンボル、または4個の60kHzシンボルを含み得る。本明細書で説明する技法によれば、SSバーストセットパターンは、RF帯域、同期またはSSブロック数秘学、ならびにデータ/制御送信のために使用される数秘学に基づいて識別され得る。本例では、各SSブロックは、5個のシンボルを含み得、SSバーストセットパターン700およびSSバーストセットパターン701は、4個のSSブロックに関するシンボルロケーションを含み得る。さらに、図7Aおよび図7BのSSバーストセットパターンは、(SSブロックに関して使用される数秘学を定義または指示し得る)30kHzサブキャリア間隔を使用して、SSブロックに基づいて識別され得る。
【０１０７】
たとえば、基地局は、データ/制御送信が30kHzサブキャリア間隔を使用する場合、SSバーストセットパターン700を識別または選択することができる。SSバーストセットパターン700は、30kHzスロットの開始時にダウンリンク制御に対して2個のシンボル(たとえば、2個の30kHzシンボル)を保存するために、シンボルのギャップを保存するために、ならびにアップリンク制御に対して14個の15kHzシンボルのスロットの終了時に2個のシンボルを保存するために、このデータ/制御数秘学に基づいて選択され得る。すなわち、SSバーストセットパターン700は、ダウンリンク制御領域に対して2個の利用可能な30kHzシンボル(たとえば、時間持続期間730にわたる)、4個の30kHzシンボルのギャップ(たとえば、時間持続期間735にわたる)、ならびにデータ/制御送信が30kHzサブキャリア間隔を使用するシナリオでは、ガード期間またはアップリンク制御領域に対して2個の利用可能な30kHzシンボル(たとえば、時間持続期間740にわたる)を可能にし得る。すなわち、SSバーストセットパターン700は、2個の空のまたは制御/データに対して利用可能な30kHzシンボル、続いてSSブロック1に対して5個の30kHzシンボル、続いて、SSブロック2に対して5個の30kHzシンボル、続いてギャップに対して(たとえば、制御/データに対して)4個の30kHzシンボル、続いて、SSブロック3に対して5個の30kHzシンボル、続いて、SSブロック4に対して5個の30kHzシンボル、続いて2個の空のまたは制御/データに対して利用可能な30kHzシンボルの順序を含み得るか、またはそれを識別し得る。
【０１０８】
さらに、基地局は、データ/制御送信が15kHzサブキャリア間隔を使用する場合、SSバーストセットパターン701を識別または選択することができる。すなわち、制御/データ送信が15kHzサブキャリア間隔に関連する数秘学を使用し、同期送信(たとえば、SSブロック)が30kHzサブキャリア間隔に関連する数秘学を使用する場合、SSバーストセットパターン701が実装され得る。SSバーストセットパターン701は、アップリンク制御に対して2個の保存された15kHzシンボル(たとえば、時間持続期間745にわたる)およびアップリンク制御またはガード期間に対して2個の保存された15kHzシンボル(たとえば、時間持続期間750にわたる)を可能にし得る。すなわち、SSバーストセットパターン701は、2個の空のまたは制御/データに対して利用可能な15kHzシンボル、続いてSSブロック1に対して5個の30kHzシンボル、続いて、SSブロック2に対して5個の30kHzシンボル、続いて、SSブロック3に対して5個の30kHzシンボル、続いて、SSブロック4に対して5個の30kHzシンボル、続いて2個の空のまたは制御/データに対して利用可能な15kHzシンボルの順序を含み得るか、またはそれを識別し得る。
【０１０９】
図8は、本開示の様々な態様による、SSバーストセットパターンをシグナリングするための技法をサポートするSSバーストセットパターン800の一例を示す。いくつかの例では、SSバーストセットパターン800は、図1および図2を参照して説明したように、ワイヤレス通信システム100またはワイヤレス通信システム200の態様を実装することができる。図8の例では、SSバーストセットパターン800は基地局および/またはUEによって識別され得る。この例では、SSバーストセットパターン800は、1つまたは複数のスロット内の1つまたは複数のSSブロックの位置を指示し得る(たとえば、SSバーストセットパターン800は、どのシンボルが1つまたは複数のスロット内にSSブロック情報を含むかを指示し得る)。以下の説明では、各スロットは7個のシンボルを含み得(たとえば、各矩形は、それぞれのサブキャリア間隔または数秘学に関するシンボルを表し得)、各スロットは、異なる時間持続期間に及び得る(たとえば、数秘学に応じて)。たとえば、時間持続期間830は、使用される数秘学に応じて、15kHzシンボルの半分、1個の30kHzシンボル、または2個の60kHzシンボルを含み得る。本明細書で説明する技法によれば、SSバーストセットパターンは、RF帯域、同期またはSSブロック数秘学、ならびにデータ/制御送信のために使用される数秘学に基づいて識別され得る。本例では、各SSブロックは、5個のシンボルを含み得、SSバーストセットパターン800は、4個のSSブロックに関するシンボルロケーションを含み得る。さらに、図8のSSバーストセットパターンは、(SSブロックに対して使用される数秘学を定義または指示し得る)30kHzサブキャリア間隔を使用して、SSブロックに基づいて識別され得る。
【０１１０】
たとえば、基地局は、データ/制御送信が60kHzサブキャリア間隔を使用する場合、SSバーストセットパターン800を識別または選択することができる。SSバーストセットパターン700は、30kHzスロットの開始時にダウンリンク制御に対して2個のシンボル(たとえば、2個の60kHzシンボル)を保存するために、シンボルのギャップを保存するために、ならびにアップリンク制御に対して14個の15kHzシンボルのスロットの終了時に2個のシンボルを保存するために、このデータ/制御数秘学に基づいて選択され得る。すなわち、SSバーストセットパターン800は、ダウンリンク制御領域に対して2個の利用可能な60kHzシンボル(たとえば、時間持続期間830にわたる)、4個の60kHzシンボルのギャップ(たとえば、時間持続期間835にわたる)、4個の60kHzシンボルのギャップ(たとえば、時間持続期間840にわたる)、4個の60kHzシンボルのギャップ(たとえば、時間持続期間845にわたる)、ならびにデータ/制御送信が60kHzサブキャリア間隔を使用するシナリオでは、ガード期間またはアップリンク制御領域に対して2個の利用可能な60kHzシンボル(たとえば、時間持続期間850にわたる)を可能にし得る。すなわち、SSバーストセットパターン800は、2個の空のまたは制御/データに対して利用可能な60kHzシンボル、続いてSSブロック1に対して5個の30kHzシンボル、続いて、ギャップに対して(たとえば、制御/データに対して)4個の60kHzシンボル、続いてSSブロック2に対して5個の30kHzシンボル、続いてギャップに対して(たとえば、制御/データに対して)4個の60kHzシンボル、続いて、SSブロック3に対して5個の30kHzシンボル、続いてギャップに対して(たとえば、制御/データに対して)4個の60kHzシンボル、続いて、SSブロック4に対して5個の30kHzシンボル、続いて2個の空のまたは制御/データに対して利用可能な60kHzシンボルの順序を含み得るか、またはそれを識別し得る。
【０１１１】
図9Aおよび図9Bは、本開示の様々な態様による、SSバーストセットパターンをシグナリングするための技法をサポートするSSバーストセットパターン900およびSSバーストセットパターン901の例を示す。いくつかの例では、SSバーストセットパターン900およびSSバーストセットパターン901は、図1および図2を参照して説明したように、ワイヤレス通信システム100またはワイヤレス通信システム200の態様を実装することができる。図9の例では、SSバーストセットパターン900および/またはSSバーストセットパターン901は、基地局および/またはUEによって識別され得る。この例では、SSバーストセットパターン900およびSSバーストセットパターン901は、1つまたは複数のスロット内の1つまたは複数のSSブロックの位置を指示し得る(たとえば、SSバーストセットパターン900およびSSバーストセットパターン901は、どのシンボルが1つまたは複数のスロット内にSSブロック情報を含むかを指示し得る)。以下の説明では、各スロットは7個のシンボルを含み得(たとえば、各矩形は、それぞれのサブキャリア間隔または数秘学に関するシンボルを表し得)、各スロットは、異なる時間持続期間に及び得る(たとえば、数秘学に応じて)。たとえば、時間持続期間930は、使用される数秘学に応じて、1個の60kHzシンボル、2個の120kHzシンボル、または4個の240kHzシンボルを含み得る。本明細書で説明する技法によれば、SSバーストセットパターンは、RF帯域、同期またはSSブロック数秘学、ならびにデータ/制御送信のために使用される数秘学に基づいて識別され得る。本例では、各SSブロックは、5個のシンボルを含み得、SSバーストセットパターン900およびSSバーストセットパターン901は、4個のSSブロックに関するシンボルロケーションを含み得る。さらに、図9Aおよび図9BのSSバーストセットパターンは、(SSブロックに対して使用される数秘学を定義または指示し得る)120kHzサブキャリア間隔を使用して、SSブロックに基づいて識別され得る。
【０１１２】
たとえば、基地局は、データ/制御送信が120kHzサブキャリア間隔を使用する場合、SSバーストセットパターン900を識別または選択することができる。SSバーストセットパターン900は、60kHzスロットの開始時にダウンリンク制御に対して2個のシンボル(たとえば、2個の120kHzシンボル)を保存するために、シンボルのギャップを保存するために、ならびにアップリンク制御に対して14個の60kHzシンボルのスロットの終了時に2個のシンボルを保存するために、このデータ/制御数秘学に基づいて選択され得る。すなわち、SSバーストセットパターン900は、ダウンリンク制御領域に対して2個の利用可能な120kHzシンボル(たとえば、時間持続期間930にわたる)、4個の120kHzシンボルのギャップ(たとえば、時間持続期間935にわたる)、ならびにデータ/制御送信が120kHzサブキャリア間隔を使用するシナリオでは、ガード期間またはアップリンク制御領域に対して2個の利用可能な120kHzシンボル(たとえば、時間持続期間940にわたる)を可能にし得る。すなわち、SSバーストセットパターン900は、2個の空のまたは制御/データに対して利用可能な120kHzシンボル、続いてSSブロック1に対して5個の120kHzシンボル、続いて、SSブロック2に対して5個の120kHzシンボル、続いてギャップ(たとえば、制御/データ)に対して4個の120kHzシンボル、続いて、SSブロック3に対して5個の120kHzシンボル、続いて、SSブロック4に対して5個の120kHzシンボル、続いて2個の空のまたは制御/データに対して利用可能な120kHzシンボルの順序を含み得るか、またはそれを識別し得る。
【０１１３】
さらに、基地局は、データ/制御送信が60kHzのサブキャリア間隔を使用する場合、SSバーストセットパターン901を識別または選択することができる。すなわち、制御/データ送信が60kHzサブキャリア間隔に関連する数秘学を使用し、同期送信(たとえば、SSブロック)が120kHzサブキャリア間隔に関連する数秘学を使用する場合、SSバーストセットパターン901が実装され得る。SSバーストセットパターン901は、アップリンク制御に対して2個の保存された60kHzシンボル(たとえば、時間持続期間945にわたる)およびアップリンク制御またはガード期間に対して2個の保存された60kHzシンボル(たとえば、時間持続期間950にわたる)を可能にし得る。すなわち、SSバーストセットパターン901は、2個の空のまたは制御/データに対して利用可能な60kHzシンボル、続いてSSブロック1に対して5個の120kHzシンボル、続いて、SSブロック2に対して5個の120kHzシンボル、続いて、SSブロック3に対して5個の120kHzシンボル、続いて、SSブロック4に対して5個の120kHzシンボル、続いて2個の空のまたは制御/データに対して利用可能な60kHzシンボルの順序を含み得るか、またはそれを識別し得る。
【０１１４】
図10Aおよび図10Bは、本開示の様々な態様による、SSバーストセットパターンをシグナリングするための技法をサポートするSSバーストセットパターン1000およびSSバーストセットパターン1001の例を示す。いくつかの例では、SSバーストセットパターン1000およびSSバーストセットパターン1001は、図1および図2を参照して説明したように、ワイヤレス通信システム100またはワイヤレス通信システム200の態様を実装することができる。図10の例では、SSバーストセットパターン1000および/またはSSバーストセットパターン1001は、基地局および/またはUEによって識別され得る。この例では、SSバーストセットパターン1000およびSSバーストセットパターン1001は、1つまたは複数のスロット内の1つまたは複数のSSブロックの位置を指示し得る(たとえば、SSバーストセットパターン1000およびSSバーストセットパターン1001は、どのシンボルが1つまたは複数のスロット内にSSブロック情報を含むかを指示し得る)。以下の説明では、各スロットは7個のシンボルを含み得(たとえば、各矩形は、それぞれのサブキャリア間隔または数秘学に関するシンボルを表し得)、各スロットは、異なる時間持続期間に及び得る(たとえば、数秘学に応じて)。たとえば、時間持続期間1050は、使用される数秘学に応じて、2個の60kHzシンボル、4個の120kHzシンボル、または8個の240kHzシンボルを含み得る。本明細書で説明する技法によれば、SSバーストセットパターンは、RF帯域、同期またはSSブロック数秘学、ならびにデータ/制御送信のために使用される数秘学に基づいて識別され得る。本例では、各SSブロックは、5個のシンボルを含み得、SSバーストセットパターン1000およびSSバーストセットパターン1001は、8個のSSブロックに関するシンボルロケーションを含み得る。さらに、図10Aおよび図10BのSSバーストセットパターンは、(SSブロックに対して使用される数秘学を定義または指示し得る)240kHzサブキャリア間隔を使用して、SSブロックに基づいて識別され得る。
【０１１５】
たとえば、基地局は、データ/制御送信が60kHzサブキャリア間隔を使用する場合、SSバーストセットパターン1000を識別または選択することができる。SSバーストセットパターン1000は、60kHzスロットの開始時にダウンリンク制御に対して2個のシンボル(たとえば、2個の60kHzシンボル)を保存するために、ならびにアップリンク制御に対して14個の60kHzシンボルのスロットの終了時に2個のシンボルを保存するために、このデータ/制御数秘学に基づいて選択され得る。すなわち、SSバーストセットパターン1000は、ダウンリンク制御領域に対して2個の利用可能な60kHzシンボル(たとえば、時間持続期間1050にわたる)、ならびにデータ/制御送信が60kHzサブキャリア間隔を使用するシナリオでは、ガード期間またはアップリンク制御領域に対して2個の利用可能な60kHzシンボル(たとえば、時間持続期間1055にわたる)を可能にし得る。すなわち、SSバーストセットパターン1000は、2個の空のまたは制御/データに対して利用可能な60kHzシンボル、続いてSSブロック1 1005に対して5個の240kHzシンボル、続いてSSブロック2に対して5個の240kHzシンボル、続いてSSブロック3に対して5個の240kHzシンボル、続いて、SSブロック4に対して5個の240kHzシンボル、続いてSSブロック5に対して5個の240kHzシンボル、続いてSSブロック6に対して5個の240kHzシンボル、続いてSSブロック7に対して5個の240kHzシンボル、続いてSSブロック8に対して5個の240kHzシンボル、続いて2個の空のまたは制御/データに対して利用可能な60kHzシンボルの順序を含み得るか、またはそれを識別し得る。
【０１１６】
さらに、基地局は、データ/制御送信が120kHzサブキャリア間隔を使用する場合、SSバーストセットパターン1001を識別または選択することができる。すなわち、制御/データ送信が120kHzサブキャリア間隔に関連する数秘学を使用し、同期送信(たとえば、SSブロック)が240kHzサブキャリア間隔に関連する数秘学を使用する場合、SSバーストセットパターン1001が実装され得る。SSバーストセットパターン1001は、アップリンク制御に対して2個の保存された120kHzシンボル(たとえば、時間持続期間1060にわたる)、4個の120kHzシンボルのギャップ(たとえば、時間持続期間1065にわたる)、およびアップリンク制御またはギャップ期間に対して2個の保存された120kHzシンボル(たとえば、時間持続期間1070にわたる)を可能にし得る。すなわち、SSバーストセットパターン1001は、2個の空のまたは制御/データに対して利用可能な120kHzシンボル、続いてSSブロック1に対して5個の240kHzシンボル、続いてSSブロック2に対して5個の240kHzシンボル、続いてSSブロック3に対して5個の240kHzシンボル、続いて、SSブロック4に対して5個の240kHzシンボル、続いてギャップに対して(たとえば、アップリンク制御、ダウンリンク制御、ガード期間などに対して)4個の120kHzシンボル、続いてSSブロック5に対して5個の240kHzシンボル、続いてSSブロック6に対して5個の240kHzシンボル、続いてSSブロック7に対して5個の240kHzシンボル、続いて、SSブロック8に対して5個の240kHzシンボル、続いて、2個の空のまたは制御/データに対して利用可能な60kHzシンボルの順序を含み得るか、またはそれを識別し得る。
【０１１７】
図11は、本開示の様々な態様による、SSバーストセットパターンをシグナリングするための技法を採用するシステムのプロセスフロー1100の一例を示す。いくつかの例では、プロセスフロー1100は、図1および図2を参照して説明したように、ワイヤレス通信システム100およびワイヤレス通信システム200の態様を実装することができる。たとえば、プロセスフロー1100は、図1および図2を参照して説明した、対応するデバイスの例であり得る、UE115-bおよび基地局105-bを含み得る。プロセスフロー1100は、UE115-bが、それに応じて、SSブロック、制御シグナリング、データ送信などを監視することができるように、SSバーストセットパターンを指示する、基地局105-bからUE115-bに送られるシグナリングの一例を示し得る。
【０１１８】
1105において、基地局105-bは、SSバーストセットパターンを識別することができる。SSバーストセットパターンは、1つまたは複数のSSブロック(たとえば、SSブロックの1つまたは複数のセット)の位置を指示し得る。SSバーストセットパターンを識別することは、SSバーストセットパターン内のSSブロックの時間ロケーション(たとえば、シンボル、もしくはスロット、および/または無線フレームロケーション)を識別することを含み得る。場合によっては、SSバーストセットパターンは、SSの識別されたサブキャリア間隔および/または非SS(たとえば、データ、制御など)の識別されたサブキャリア間隔に基づいて識別され得る。
【０１１９】
1110において、基地局105-bは、1105において識別されたSSバーストセットパターンの指示を送信することができる。たとえば、基地局105-bは、PSS、SSS、PBCHのDMRS、PBCHペイロード、MIB、SIB、RRC送信、ハンドオーバメッセージなどを介して、指示を送信し得る。場合によっては、指示は、SSおよび/または非SSに対して使用される数秘学を指示し得、UEは、1115において、SSバーストセットパターンを暗黙的に導出し得る。
【０１２０】
1115において、UE115-bは、受信された指示に少なくとも部分的に基づいて、SSバーストセットパターン(たとえば、スロット占有パターン)を識別することができる。場合によっては、SSバーストセットパターンを識別することは、SSブロックを監視するための位置を識別すること、(たとえば、SSブロックに関して監視された位置より前のスロットの1個または2個のシンボル内で)ダウンリンク制御情報を監視するための位置を識別すること、および/または(たとえば、SSブロックに関して監視されたスロット内の位置の後のそのスロットの1個または2個のシンボル内で)アップリンク制御情報を送信するための位置を識別することを含み得る。場合によっては(たとえば、いくつかのSSバーストセットパターンに従って)、UE115-bは、SSバーストセットパターンのSSブロックの2つ以上のセット同士の間のガード期間をさらに識別することができる。場合によっては、1110の指示は、ランダムモバイル加入者識別子(RMSI:random mobile subscriber identity)内で送られてよく、その場合、UE115-bは、指示を受信するより前にSSブロックを受信し得る(たとえば、ステップ1110および1115の順序は交換され得る)。
【０１２１】
図12は、本開示の様々な態様による、SSバーストセットパターンをシグナリングするための技法を採用するシステムのプロセスフロー1200の一例を示す。いくつかの例ではプロセスフロー1200は、図1および図2を参照して説明したように、ワイヤレス通信システム100およびワイヤレス通信システム200の態様を実装することができる。たとえば、プロセスフロー1200は、図1および図2を参照して説明した、対応するデバイスの例であり得る、UE115-cおよび基地局105-cを含み得る。プロセスフロー1200は、UE115-cが、それに応じて、SSブロック、制御シグナリング、データ送信などを監視することができるように、SSバーストセットパターンを指示する、基地局105-cからUE115-cに送られるシグナリングの一例を示し得る。
【０１２２】
1205において、基地局105-cは、UE115-cとの通信において使用されることになるサブキャリア間隔を識別することができる(たとえば、基地局105-cは、SYNC数秘学およびデータ/制御数秘学を識別することができる)。
【０１２３】
1210において、基地局105-cは、1205において識別された数秘学またはサブキャリア間隔に基づいて、SSバーストセットパターンを識別することができる。SSバーストセットパターンは、1つまたは複数のSSブロック(たとえば、SSブロックの1つまたは複数のセット)の位置を指示し得る。SSバーストセットパターンを識別することは、SSバーストセットパターン内のSSブロックの時間ロケーション(たとえば、シンボル、もしくはスロット、または無線フレームロケーション)を識別することを含み得る。
【０１２４】
1215において、基地局105-cは、随意に、SSバーストセットパターン指示をUE115-cに送信することができる(たとえば、場合によっては、使用されている数秘学の指示が1215において送信され得る)。たとえば、基地局105-bは、PSS、SSS、PBCHのDMRS、PBCHペイロード、MIB、SIB、RRC送信、ハンドオーバメッセージなどを介して、指示を送信し得る。場合によっては、指示は、SSおよび/または非SSに対して使用される数秘学を指示し得、UEは、1115において、SSバーストセットパターンを暗黙的に導出し得る。場合によっては、SSバーストセットパターンは、スロット占有パターン(たとえば、SSブロックを含むスロットのセットの1つまたは複数のスロット)および/またはSSブロック情報を含む占有されたスロット内のシンボルを指示し得る。
【０１２５】
1220において、UE115-cは、SSブロックのタイミングロケーションを決定することができる。場合によっては、タイミングロケーションを決定することは、UE115-cがSSバーストセットパターンを識別することを指すことがある。上記で論じたように(たとえば、また、図2を参照してより詳細に説明したように)、UE115-cは、場合によっては、ワイヤレス通信システムによって使用されている数秘学の指示からSSブロックのタイミングロケーション(たとえば、SSバーストセットパターン)を暗黙的に導出することができる(たとえば、使用されている数秘学の指示が1215において送信されている場合)。たとえば、SSバーストセットパターンは、(たとえば、SYNC送信およびデータ送信のために)使用されている数秘学の指示が、(SYNC送信およびデータ送信のために)使用されることになる1つまたは複数の数秘学に基づいて、SSバーストセットパターン、たとえば、使用されることになるSSバーストセットパターンを暗示し得るように、ネットワークによってあらかじめ構成され得る。
【０１２６】
1225において、基地局105-cは、随意に、制御情報(たとえば、SSバーストセットパターンに従って、SSブロックより前に、スロットの開始時に含まれている空のまたは利用可能なシンボル内でダウンリンク制御情報)を送信することができる。たとえば、1210において識別され得るいくつかのSSバーストセットパターンに従って、基地局105-cは、SSブロックの送信のために使用される位置より前のスロットの1個または2個のシンボル内でダウンリンク制御情報を送信し得る。
【０１２７】
1230において、基地局105-cは、SSバーストセットパターンに従って、1つまたは複数のSSブロックを送信することができる。加えて、UE115-cは、SSバーストセットパターンに従って(たとえば、1220において識別されたタイミングロケーションまたは位置において)1つまたは複数のSSブロックを監視し得る。UE115-cは、SSブロックのPBCHを復号するために、PSSおよび/またはSSSなど、SSブロックの特定の部分を監視し得る。そのような監視は、UE115-cが、SSブロックを受信し、次いで、UE115-cがSSブロックに対する受信者であるかどうかを決定するために、SSブロックのすべてまたは部分の復号を試行し得ることであり得る。場合によっては、UE115-cは、SSバーストセットパターンを決定する前にSSブロックを検出し得る(たとえば、UE115-cは、SSバーストセットパターンを決定するかまたはSSブロックのタイミングロケーションを決定する前に、1230においてSSブロックを受信または検出し得る)。たとえば、1215における指示は、場合によっては、(たとえば、SSブロックの周期性よりも長い周期性を有し得る)RMSI内で送られ得る。したがって、UE115-cの観点から、SSバーストセットパターンの指示は、1230においてSSブロックを受信した後に受信され得る。
【０１２８】
図13は、本開示の態様による、SSバーストセットパターンをシグナリングするための技法をサポートするワイヤレスデバイス1305のブロック図1300を示す。ワイヤレスデバイス1305は、本明細書で説明するように、UE115の態様の一例であってよい。ワイヤレスデバイス1305は、受信機1310と、UE通信マネージャ1315と、送信機1320とを含み得る。ワイヤレスデバイス1305はまた、プロセッサを含み得る。これらの構成要素の各々は、(たとえば、1つまたは複数のバスを介して)互いと通信していることがある。
【０１２９】
受信機1310は、パケット、ユーザデータ、または様々な情報チャネル(たとえば、制御チャネル、データチャネル、およびSSバーストセットパターンをシグナリングするための技法に関する情報など)に関連する制御情報などの情報を受信し得る。情報はデバイスの他の構成要素に受け渡されてよい。受信機1310は、図16を参照して説明するトランシーバ1635の態様の一例であってよい。受信機1310は、単一のアンテナを利用してもまたはアンテナのセットを利用してもよい。
【０１３０】
UE通信マネージャ1315は、図16を参照して説明するUE通信マネージャ1615の態様の一例であってよい。
【０１３１】
UE通信マネージャ1315および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ1315および/またはその様々な下位構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示において説明する機能を実行するように設計されたそれらの任意の組合せによって実行され得る。UE通信マネージャ1315および/またはその様々な下位構成要素のうちの少なくともいくつかは、機能の部分が1つまたは複数の物理デバイスによって異なる物理的ロケーションにおいて実装されるように分散されることを含めて、様々な位置に物理的に位置し得る。いくつかの例では、UE通信マネージャ1315および/またはその様々な下位構成要素のうちの少なくともいくつかは、本開示の様々な態様による別個のまたは異なる構成要素であってよい。他の例では、UE通信マネージャ1315および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１３２】
UE通信マネージャ1315は、SSバーストセットパターンの指示を受信し、受信された指示に基づいて、1つまたは複数のSSの時間ロケーションを決定することができる。
【０１３３】
送信機1320は、デバイスの他の構成要素によって生成された信号を送信してもよい。いくつかの例では、送信機1320は、トランシーバモジュール内で受信機1310と併置されてよい。たとえば、送信機1320は、図16を参照して説明するトランシーバ1635の態様の一例であってよい。送信機1320は、単一のアンテナを利用してもまたはアンテナのセットを利用してもよい。
【０１３４】
図14は、本開示の態様による、SSバーストセットパターンをシグナリングするための技法をサポートするワイヤレスデバイス1405のブロック図1400を示す。ワイヤレスデバイス1405は、図13を参照して説明したように、ワイヤレスデバイス1305またはUE115の態様の一例であってよい。ワイヤレスデバイス1405は、受信機1410と、UE通信マネージャ1415と、送信機1420とを含み得る。ワイヤレスデバイス1405はまた、プロセッサを含み得る。これらの構成要素の各々は、(たとえば、1つまたは複数のバスを介して)互いと通信していることがある。
【０１３５】
受信機1410は、パケット、ユーザデータ、または様々な情報チャネル(たとえば、制御チャネル、データチャネル、およびSSバーストセットパターンをシグナリングするための技法に関する情報など)に関連する制御情報などの情報を受信し得る。情報はデバイスの他の構成要素に受け渡されてよい。受信機1410は、図16を参照して説明するトランシーバ1635の態様の一例であってよい。受信機1410は、単一のアンテナを利用してもまたはアンテナのセットを利用してもよい。
【０１３６】
UE通信マネージャ1415は、図16を参照して説明するUE通信マネージャ1615の態様の一例であってよい。UE通信マネージャ1415は、SSバーストセットパターンマネージャ1425とSSブロックロケーションマネージャ1430とをやはり含み得る。
【０１３７】
SSバーストセットパターンマネージャ1425は、SSバーストセットパターンの指示を受信し、SSバーストセットパターンの受信された指示および第1のサブキャリア間隔に基づいて、SSバーストセットパターンを識別し、SSバーストセットパターンの受信された指示および第2のサブキャリア間隔に基づいて、SSバーストセットパターンを識別することができる。SSバーストセットパターンマネージャ1425は、受信された第1の指示および受信された第2の指示に基づいて、SSバーストセットパターンを識別し、受信された指示に基づいて、SSバーストセットパターンを識別することができる。場合によっては、SSバーストセットパターンの指示を受信することは、PSS、またはSSS、またはPBCHのDMRS、またはPBCHペイロード、またはMIB、またはSIB、またはRRC送信、および/またはハンドオーバメッセージを受信することを含む。SSバーストセットパターンの指示は、SSバーストセットパターンを指示し得る。場合によっては、SSバーストセットパターンの指示を受信することは、SSバーストセットパターン内のSSブロックの時間ロケーションの指示を受信することを含む。場合によっては、SSブロックの時間ロケーションの指示は、SSバーストセットパターン内のSSブロックの、シンボル、もしくはスロット、または無線フレームロケーション、あるいはそれらの組合せを含む。
【０１３８】
SSブロックロケーションマネージャ1430は、受信された指示に基づいて、1つまたは複数のSSの時間ロケーションを決定し、SSバーストセットパターンの受信された指示に基づいて、SSブロックの1つまたは複数のセットを監視するための位置を識別し、SSブロックの1つまたは複数のセットに関して、識別された位置を監視し、SSに関する第1のサブキャリア間隔を識別することができる。場合によっては、SSバーストセットパターンの指示を受信することは、スロットのセットに関するスロット占有パターンの指示を受信することであって、スロット占有パターンが、SSブロックの1つまたは複数のセットのSSブロックを含むスロットのセットの1つまたは複数のスロットを指示する、受信することを含む。場合によっては、SSブロックの1つまたは複数のセットのSSブロックのセットは、PSSシンボル、SSSシンボル、1つまたは複数のPBCHシンボル、および1つまたは複数のPBCHシンボルの1つまたは複数のDMRSを含む。場合によっては、SSシンボルのセットの順序は、PSSシンボル、その後に1つまたは複数のPBCHシンボルのうちの第1のPBCHシンボル、その後にSSSシンボル、その後に1つまたは複数のPBCHシンボルのうちの第2のPBCHシンボル、その後に1つまたは複数のPBCHシンボルのうちの第3のPBCHシンボルが続くことを含む。場合によっては、SSブロックの1つまたは複数のセットは、第1のサブキャリア間隔で監視される。SSブロックロケーションマネージャ1430は、識別されたSSバーストセットパターンに基づいて、SIB、もしくは許可、またはシステム情報のペイロード、あるいはそれらの組合せの1つまたは複数の組合せの時間ロケーションを決定し、識別されたSSバーストセットパターンに基づいて、1つまたは複数のRACHリソースの時間ロケーションを決定し、識別されたSSバーストセットパターンに基づいて、CSI-RS、もしくは測定基準信号(MRS)、またはそれらの組合せの時間ロケーションを決定することができる。場合によっては、SSブロックの1つまたは複数のセットは、第1のサブキャリア間隔で監視される。
【０１３９】
送信機1420は、デバイスの他の構成要素によって生成された信号を送信し得る。いくつかの例では、送信機1420は、トランシーバモジュール内で受信機1410と併置されてよい。たとえば、送信機1420は、図16を参照して説明するトランシーバ1635の態様の一例であってよい。送信機1420は、単一のアンテナを利用してもまたはアンテナのセットを利用してもよい。
【０１４０】
図15は、本開示の態様による、SSバーストセットパターンをシグナリングするための技法をサポートするUE通信マネージャ1515のブロック図1500を示す。UE通信マネージャ1515は、図13、図14、および図16を参照して説明する、UE通信マネージャ1315、UE通信マネージャ1415、またはUE通信マネージャ1615の態様の一例であってよい。UE通信マネージャ1515は、SSバーストセットパターンマネージャ1520と、SSブロックロケーションマネージャ1525と、制御ロケーションマネージャ1530と、アップリンクマネージャ1535とを含み得る。これらのモジュールの各々は、(たとえば、1つまたは複数のバスを介して)互いと直接的または間接的に通信し得る。
【０１４１】
SSバーストセットパターンマネージャ1520は、SSバーストセットパターンの指示を受信し、SSバーストセットパターンの受信された指示および第1のサブキャリア間隔に基づいて、SSバーストセットパターンを識別し、SSバーストセットパターンの受信された指示および第2のサブキャリア間隔に基づいて、SSバーストセットパターンを識別することができる。SSバーストセットパターンマネージャ1520は、受信された第1の指示および受信された第2の指示に基づいて、SSバーストセットパターンを識別し、受信された指示に基づいて、SSバーストセットパターンを識別することができる。場合によっては、SSバーストセットパターンの指示を受信することは、SSバーストセットパターンを指示する、PSS、またはSSS、またはPBCHのDMRS、またはPBCHペイロード、またはMIB、またはSIB、またはRRC送信、またはハンドオーバメッセージ、またはそれらの組合せを受信することを含む。場合によっては、SSバーストセットパターンの指示を受信することは、SSバーストセットパターン内のSSブロックの時間ロケーションの指示を受信することを含む。場合によっては、SSブロックの時間ロケーションの指示は、SSバーストセットパターン内のSSブロックの、シンボル、もしくはスロット、または無線フレームロケーション、あるいはそれらの組合せを含む。場合によっては、SSバーストセットパターンの指示を受信することは、SSに関する第1のサブキャリア間隔の第1の指示を受信することを含む。
【０１４２】
SSブロックロケーションマネージャ1525は、受信された指示に基づいて、1つまたは複数のSSの時間ロケーションを決定し、SSバーストセットパターンの受信された指示に基づいて、SSブロックの1つまたは複数のセットを監視するための位置を識別し、SSブロックの1つまたは複数のセットに関して、識別された位置を監視し、SSに関する第1のサブキャリア間隔を識別することができる。場合によっては、SSバーストセットパターンの指示を受信することは、スロットのセットに関するスロット占有パターンの指示を受信することであって、スロット占有パターンが、SSブロックの1つまたは複数のセットのSSブロックを含むスロットのセットの1つまたは複数のスロットを指示する、受信することを含む。場合によっては、SSブロックの1つまたは複数のセットのSSブロックのセットは、PSSシンボル、SSSシンボル、1つまたは複数のPBCHシンボル、および1つまたは複数のPBCHシンボルの1つまたは複数のDMRSを含む。場合によっては、SSシンボルのセットの順序は、PSSシンボル、その後に1つまたは複数のPBCHシンボルのうちの第1のPBCHシンボル、その後にSSSシンボル、その後に1つまたは複数のPBCHシンボルのうちの第2のPBCHシンボル、その後に1つまたは複数のPBCHシンボルのうちの第3のPBCHシンボルが続くことを含む。場合によっては、SSブロックの1つまたは複数のセットは、第1のサブキャリア間隔で監視される。SSブロックロケーションマネージャは、識別されたSSバーストセットパターンに基づいて、許可、もしくはシステム情報のペイロード、またはそれらの組合せの1つまたは複数の組合せの時間ロケーションを決定し、識別されたSSバーストセットパターンに基づいて、1つまたは複数のRACHリソースの時間ロケーションを決定し、識別されたSSバーストセットパターンに基づいて、チャネル状態情報基準信号(CSI-RS)、もしくはMRS、またはそれらの組合せの時間ロケーションを決定することができる。場合によっては、SSブロックの1つまたは複数のセットは、第1のサブキャリア間隔で監視される。
【０１４３】
制御ロケーションマネージャ1530は、SSバーストセットパターンの受信された指示に基づいて、制御情報を監視するための位置を識別することと、SSブロックのうちの1つまたは複数のセットに関して監視された位置より前のスロット内で制御情報を監視することであって、制御情報がダウンリンク制御情報を含む、監視することと、SSブロックの1つまたは複数のセットに関して監視されたスロット内の位置の後のそのスロットの1個または2個のシンボル内でアップリンク制御情報を送信することと、非SSに関する第2のサブキャリア間隔を識別することとを行うことができる。場合によっては、制御情報は、第2のサブキャリア間隔で監視される。場合によっては、スロット内で制御情報を監視することは、SSブロックの1つまたは複数のセットに関して監視された位置より前のスロットの1個または2個のシンボル内でダウンリンク制御情報を監視することを含む。
【０１４４】
アップリンクマネージャ1535は、SSバーストセットパターンの受信された指示に基づいて、SSブロックの1つまたは複数のセットのうちの2つの間のガード期間を識別し得る。
【０１４５】
図16は、本開示の態様による、SSバーストセットパターンをシグナリングするための技法をサポートするデバイス1605を含むシステム1600の図を示す。デバイス1605は、たとえば、図13および図14を参照して上記で説明したように、ワイヤレスデバイス1305、ワイヤレスデバイス1405、またはUE115の構成要素の一例であってよく、またはそれを含んでもよい。デバイス1605は、UE通信マネージャ1615、プロセッサ1620、メモリ1625、ソフトウェア1630、トランシーバ1635、アンテナ1640、およびI/Oコントローラ1645を含む、通信を送信および受信するための構成要素を含む、双方向の音声通信およびデータ通信のための構成要素を含み得る。これらの構成要素は、1つまたは複数のバス(たとえば、バス1610)を介して電子通信していることがある。デバイス1605は、1つまたは複数の基地局105とワイヤレスに通信し得る。
【０１４６】
プロセッサ1620は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ1620は、メモリコントローラを使用してメモリアレイを動作させるように構成され得る。他の場合には、メモリコントローラは、プロセッサ1620内に統合され得る。プロセッサ1620は、様々な機能(たとえば、SSバーストセットパターンをシグナリングするための技法をサポートする機能またはタスク)を実行するために、メモリに記憶されたコンピュータ可読命令を実行するように構成され得る。
【０１４７】
メモリ1625は、ランダムアクセスメモリ(RAM)および読取り専用メモリ(ROM)を含み得る。メモリ1625は、実行されると、プロセッサに本明細書で説明する様々な機能を実行させる命令を含む、コンピュータ可読、コンピュータ実行可能ソフトウェア1630を記憶し得る。場合によっては、メモリ1625は、特に、周辺構成要素または周辺デバイスとの対話など、基本的なハードウェアまたはソフトウェア動作を制御し得る基本入出力システム(BIOS)を含み得る。
【０１４８】
ソフトウェア1630は、SSバーストセットパターンをシグナリングするための技法をサポートするためのコードを含む、本開示の態様を実装するためのコードを含み得る。ソフトウェア1630は、システムメモリまたは他のメモリなど、非一時的コンピュータ可読媒体内に記憶され得る。場合によっては、ソフトウェア1630は、プロセッサによって直接実行可能ではないことがあるが、(たとえば、コンパイルされ実行されると)本明細書で説明する機能をコンピュータに実行させ得る。
【０１４９】
トランシーバ1635は、上記で説明したように、1つまたは複数のアンテナ、ワイヤードリンク、またはワイヤレスリンクを介して双方向に通信することができる。たとえば、トランシーバ1635は、ワイヤレストランシーバを表すことができ、別のワイヤレストランシーバと双方向に通信することができる。トランシーバ1635はまた、パケットを変調し、変調されたパケットを送信するためにアンテナに与え、かつアンテナから受信されたパケットを復調するためのモデムを含み得る。
【０１５０】
場合によっては、ワイヤレスデバイスは単一のアンテナ1640を含み得る。しかしながら、場合によっては、デバイスは、複数のワイヤレス送信を同時に送信または受信することが可能であり得る複数のアンテナ1640を有し得る。
【０１５１】
I/Oコントローラ1645は、デバイス1605のための入力信号および出力信号を管理し得る。I/Oコントローラ1645はまた、デバイス1605内に統合されない周辺装置を管理し得る。場合によっては、I/Oコントローラ1645は、外部周辺装置への物理的接続またはポートを表し得る。場合によっては、I/Oコントローラ1645は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他の場合には、I/Oコントローラ1645は、モデム、キーボード、マウス、タッチスクリーン、または類似のデバイスを表すことがあり、またはそれと対話することがある。場合によっては、I/Oコントローラ1645は、プロセッサの一部として実装され得る。場合によっては、ユーザは、I/Oコントローラ1645を介して、またはI/Oコントローラ1645によって制御されるハードウェア構成要素を介して、デバイス1605と対話し得る。
【０１５２】
図17は、本開示の態様による、SSバーストセットパターンをシグナリングするための技法をサポートするワイヤレスデバイス1705のブロック図1700を示す。ワイヤレスデバイス1705は、本明細書で説明するように、基地局105の態様の一例であってよい。ワイヤレスデバイス1705は、受信機1710と、基地局通信マネージャ1715と、送信機1720とを含み得る。ワイヤレスデバイス1705はまた、プロセッサを含み得る。これらの構成要素の各々は、(たとえば、1つまたは複数のバスを介して)互いと通信していることがある。
【０１５３】
受信機1710は、パケット、ユーザデータ、または様々な情報チャネル(たとえば、制御チャネル、データチャネル、およびSSバーストセットパターンをシグナリングするための技法に関する情報など)に関連する制御情報などの情報を受信し得る。情報はデバイスの他の構成要素に受け渡されてよい。受信機1710は、図20を参照して説明するトランシーバ2035の態様の一例であってよい。受信機1710は、単一のアンテナを利用してもまたはアンテナのセットを利用してもよい。
【０１５４】
基地局通信マネージャ1715は、図20を参照して説明する基地局通信マネージャ2015の態様の一例であってよい。
【０１５５】
基地局通信マネージャ1715および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ1715および/またはその様々な下位構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明する機能を実行するように設計されたそれらの任意の組合せによって実行され得る。基地局通信マネージャ1715および/またはその様々な下位構成要素のうちの少なくともいくつかは、機能の部分が、1つまたは複数の物理デバイスによって異なる物理的ロケーションにおいて実装されるように分散されることを含めて、様々な位置に物理的に位置し得る。いくつかの例では、基地局通信マネージャ1715および/またはその様々な下位構成要素のうちの少なくともいくつかは、本開示の様々な態様による、分離したおよび別個の構成要素であり得る。他の例では、基地局通信マネージャ1715および/またはその様々な下位構成要素のうちの少なくともいくつかは、限定はしないが、I/O構成要素、トランシーバ、ネットワークサーバ、別のコンピューティングデバイス、本開示で説明する1つまたは複数の他の構成要素、または本開示の様々な態様によるそれらの組合せを含む、1つまたは複数の他のハードウェア構成要素と組み合わせられ得る。
【０１５６】
基地局通信マネージャ1715は、SSバーストセットパターンを識別することであって、SSバーストセットパターンが、SSブロックの1つまたは複数のセットに関する位置を指示する、識別することと、識別されたSSバーストセットパターンの指示を送信することと、識別されたSSバーストセットパターンに基づいて、SSブロックの1つまたは複数のセットを送信することとを行うことができる。
【０１５７】
送信機1720は、デバイスの他の構成要素によって生成された信号を送信してもよい。いくつかの例では、送信機1720は、トランシーバモジュール内で受信機1710と併置されてよい。たとえば、送信機1720は、図20を参照して説明するトランシーバ2035の態様の一例であってよい。送信機1720は、単一のアンテナを利用してもまたはアンテナのセットを利用してもよい。
【０１５８】
図18は、本開示の態様による、SSバーストセットパターンをシグナリングするための技法をサポートするワイヤレスデバイス1805のブロック図1800を示す。ワイヤレスデバイス1805は、図17を参照して説明したように、ワイヤレスデバイス1705または基地局105の態様の一例であってよい。ワイヤレスデバイス1805は、受信機1810と、基地局通信マネージャ1815と、送信機1820とを含み得る。ワイヤレスデバイス1805は、プロセッサも含み得る。これらの構成要素の各々は、(たとえば、1つまたは複数のバスを介して)互いと通信していることがある。
【０１５９】
受信機1810は、パケット、ユーザデータ、または様々な情報チャネル(たとえば、制御チャネル、データチャネル、およびSSバーストセットパターンをシグナリングするための技法に関する情報など)に関連する制御情報などの情報を受信し得る。情報はデバイスの他の構成要素に受け渡されてよい。受信機1810は、図20を参照して説明するトランシーバ2035の態様の一例であってよい。受信機1810は、単一のアンテナを利用してもまたはアンテナのセットを利用してもよい。
【０１６０】
基地局通信マネージャ1815は、図20を参照して説明する基地局通信マネージャ2015の態様の一例であってよい。基地局通信マネージャ1815は、SSバーストセットパターンマネージャ1825と、SSブロック指示マネージャ1830と、SSブロックロケーションマネージャ1835とをやはり含み得る。
【０１６１】
SSバーストセットパターンマネージャ1825は、SSバーストセットパターンを識別することであって、SSバーストセットパターンが、SSブロックの1つまたは複数のセットに関する位置を指示する、識別することと、第1のサブキャリア間隔に基づいて、SSバーストセットパターンを識別することと、第2のサブキャリア間隔に基づいて、SSバーストセットパターンを識別することとを行うことができる。場合によっては、SSバーストセットパターンを識別することは、SSバーストセットパターン内のSSブロックの1つまたは複数のセットの時間ロケーションを識別することをさらに含む。場合によっては、SSバーストセットパターン内のSSブロックの1つまたは複数のセットの時間ロケーションは、SSバーストセットパターン内のSSブロックの、シンボル、もしくはスロット、または無線フレームロケーション、あるいはそれらの組合せを含む。場合によっては、SSブロックの1つまたは複数のセットのSSブロックのセットは、PSSシンボル、SSSシンボル、1つまたは複数のPBCHシンボル、および1つまたは複数のPBCHシンボルの1つまたは複数のDMRSを含む。場合によっては、SSシンボルのセットの順序は、PSSシンボル、その後に1つまたは複数のPBCHシンボルのうちの第1のPBCHシンボル、その後にSSSシンボル、その後に1つまたは複数のPBCHシンボルのうちの第2のPBCHシンボル、その後に1つまたは複数のPBCHシンボルのうちの第3のPBCHシンボルが続くことを含む。
【０１６２】
SSブロック指示マネージャ1830は、識別されたSSバーストセットパターンの指示を送信し得る。場合によっては、識別されたSSバーストセットパターンの指示を送信することは、識別されたSSバーストセットパターンを指示する、PSS、またはSSS、またはPBCHのDMRS、またはPBCHペイロード、またはMIB、またはSIB、またはRRC送信、またはハンドオーバメッセージ、またはそれらの組合せを送信することを含む。場合によっては、識別されたSSバーストセットパターンの指示を送信することは、スロットのセットに関するスロット占有パターンの指示を送信することであって、スロット占有パターンが、ｃブロックの1つまたは複数のセットのSSブロックを含むスロットのセットの1つまたは複数のスロットを指示する、送信することを含む。
【０１６３】
SSブロックロケーションマネージャ1835は、識別されたSSバーストセットパターンに基づいて、SSブロックの1つまたは複数のセットを送信し、SSに関する第1のサブキャリア間隔を識別し得る。場合によっては、第1のサブキャリア間隔を識別することは、システム動作帯域幅に基づいて、第1のサブキャリア間隔を識別することを含む。場合によっては、識別されたSSバーストセットパターンの指示を送信することは、SSに関する第1のサブキャリア間隔の第1の指示を送信することを含む。
【０１６４】
送信機1820は、デバイスの他の構成要素によって生成された信号を送信し得る。いくつかの例では、送信機1820は、トランシーバモジュール内で受信機1810と併置されてよい。たとえば、送信機1820は、図20を参照して説明するトランシーバ2035の態様の一例であってよい。送信機1820は、単一のアンテナを利用してもまたはアンテナのセットを利用してもよい。
【０１６５】
図19は、本開示の態様による、SSバーストセットパターンをシグナリングするための技法をサポートする基地局通信マネージャ1915のブロック図1900を示す。基地局通信マネージャ1915は、図17、図18、および図20を参照して説明する、基地局通信マネージャ2015の態様の一例であってよい。基地局通信マネージャ1915は、SSバーストセットパターンマネージャ1920と、SSブロック指示マネージャ1925と、SSブロックロケーションマネージャ1930と、制御ロケーションマネージャ1935とを含み得る。これらのモジュールの各々は、(たとえば、1つまたは複数のバスを介して)互いと直接的または間接的に通信し得る。
【０１６６】
SSバーストセットパターンマネージャ1920は、SSバーストセットパターンを識別することであって、SSバーストセットパターンが、SSブロックの1つまたは複数のセットに関する位置を指示する、識別することと、第1のサブキャリア間隔に基づいて、SSバーストセットパターンを識別することと、第2のサブキャリア間隔に基づいて、SSバーストセットパターンを識別することとを行うことができる。場合によっては、SSバーストセットパターンを識別することは、SSバーストセットパターン内のSSブロックの1つまたは複数のセットの時間ロケーションを識別することをさらに含む。場合によっては、SSバーストセットパターン内のSSブロックの1つまたは複数のセットの時間ロケーションは、SSバーストセットパターン内のSSブロックの、シンボル、もしくはスロット、または無線フレームロケーション、あるいはそれらの組合せを含む。場合によっては、SSブロックの1つまたは複数のセットのSSブロックのセットは、PSSシンボル、SSSシンボル、1つまたは複数のPBCHシンボル、および1つまたは複数のPBCHシンボルの1つまたは複数のDMRSを含む。場合によっては、SSシンボルのセットの順序は、PSSシンボル、その後に1つまたは複数のPBCHシンボルのうちの第1のPBCHシンボル、その後にSSSシンボル、その後に1つまたは複数のPBCHシンボルのうちの第2のPBCHシンボル、その後に1つまたは複数のPBCHシンボルのうちの第3のPBCHシンボルが続くことを含む。
【０１６７】
SSブロック指示マネージャ1925は、識別されたSSバーストセットパターンの指示を送信し得る。場合によっては、識別されたSSバーストセットパターンの指示を送信することは、識別されたSSバーストセットパターンを指示する、PSS、またはSSS、またはPBCHのDMRS、またはPBCHペイロード、またはMIB、またはSIB、またはRRC送信、またはハンドオーバメッセージ、またはそれらの組合せを送信することを含む。場合によっては、識別されたSSバーストセットパターンの指示を送信することは、スロットのセットに関するスロット占有パターンの指示を送信することであって、スロット占有パターンが、SSブロックの1つまたは複数のセットのSSブロックを含むスロットのセットの1つまたは複数のスロットを指示する、送信することを含む。場合によっては、識別されたSSバーストセットパターンの指示を送信することは、識別されたSSバーストセットパターンを指示する、PSS、またはSSS、またはPBCHのDMRS、またはPBCHペイロード、またはMIB、またはSIB、またはRRC送信、またはハンドオーバメッセージ、またはそれらの組合せを送信することを含む。
【０１６８】
SSブロックロケーションマネージャ1930は、識別されたSSバーストセットパターンに基づいて、SSブロックの1つまたは複数のセットを送信し、SSに関する第1のサブキャリア間隔を識別し得る。場合によっては、第1のサブキャリア間隔を識別することは、システム動作帯域幅に基づいて、第1のサブキャリア間隔を識別することを含む。場合によっては、識別されたSSバーストセットパターンの指示を送信することは、SSに関する第1のサブキャリア間隔の第1の指示を送信することを含む。
【０１６９】
制御ロケーションマネージャ1935は、非SSに関する第2のサブキャリア間隔を識別することと、識別されたSSバーストセットパターンに基づいて、第1のサブキャリア間隔を使用してスロット内で制御情報を送信することであって、SSブロックの1つまたは複数のセットが、第2のサブキャリア間隔を使用してスロット内で送信される、送信することと、識別されたSSバーストセットパターンに基づいて、スロット内のSSブロックの1つまたは複数のセットを送信するより前にそのスロット内でダウンリンク制御情報を送信することと、スロット内のSSブロックの1つまたは複数のセットを送信した後でそのスロットの1個または2個のシンボル内でアップリンク制御情報を監視することとを行うことができる。場合によっては、第2のサブキャリア間隔を識別することは、システム動作帯域幅に基づいて、第2のサブキャリア間隔を識別することを含む。場合によっては、制御情報はダウンリンク制御情報を含む。場合によっては、スロット内でダウンリンク制御情報を送信することは、スロット内でSSブロックの1つまたは複数のセットを送信するより前にそのスロットの1個または2個のシンボル内でダウンリンク制御情報を送信することを含む。
【０１７０】
図20は、本開示の態様による、SSバーストセットパターンをシグナリングするための技法をサポートするデバイス2005を含むシステム2000の図を示す。デバイス2005は、たとえば、図1を参照して上記で説明したように、基地局105の構成要素の一例であってよく、またはそれを含んでもよい。デバイス2005は、基地局通信マネージャ2015、プロセッサ2020、メモリ2025、ソフトウェア2030、トランシーバ2035、アンテナ2040、ネットワーク通信マネージャ2045、および局間通信マネージャ2050を含む、通信を送信および受信するための構成要素を含む双方向の音声通信およびデータ通信のための構成要素を含み得る。これらの構成要素は、1つまたは複数のバス(たとえば、バス2010)を介して電子通信していることがある。デバイス2005は、1つまたは複数のUE115とワイヤレス通信し得る。
【０１７１】
プロセッサ2020は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ2020は、メモリコントローラを使用してメモリアレイを動作させるように構成され得る。他の場合には、メモリコントローラは、プロセッサ2020内に統合され得る。プロセッサ2020は、様々な機能(たとえば、SSバーストセットパターンをシグナリングするための技法をサポートする機能またはタスク)を実行するために、メモリ内に記憶されたコンピュータ可読命令を実行するように構成され得る。
【０１７２】
メモリ2025は、RAMおよびROMを含み得る。メモリ2025は、実行されると、プロセッサに本明細書で説明する様々な機能を実行させる命令を含む、コンピュータ可読、コンピュータ実行可能ソフトウェア2030を記憶し得る。場合によっては、メモリ2025は、特に、周辺構成要素または周辺デバイスとの対話など、基本的なハードウェア動作またはソフトウェア動作を制御し得るBIOSを含み得る。
【０１７３】
ソフトウェア2030は、SSバーストセットパターンをシグナリングするための技法をサポートするためのコードを含む、本開示の態様を実装するためのコードを含み得る。ソフトウェア2030は、システムメモリまたは他のメモリなど、非一時的コンピュータ可読媒体に記憶され得る。場合によっては、ソフトウェア2030は、プロセッサによって直接実行可能ではないことがあるが、(たとえば、コンパイルされ実行されると)本明細書で説明する機能をコンピュータに実行させ得る。
【０１７４】
トランシーバ2035は、上記で説明したように、1つまたは複数のアンテナ、ワイヤードリンク、またはワイヤレスリンクを介して双方向に通信することができる。たとえば、トランシーバ2035は、ワイヤレストランシーバを表すことができ、別のワイヤレストランシーバと双方向に通信することができる。トランシーバ2035はまた、パケットを変調し、変調されたパケットを送信するためにアンテナに与え、かつアンテナから受信されたパケットを復調するためのモデムを含み得る。
【０１７５】
場合によっては、ワイヤレスデバイスは単一のアンテナ2040を含み得る。しかしながら、場合によっては、デバイスは、複数のワイヤレス送信を同時に送信または受信することが可能であり得る複数のアンテナ2040を有し得る。
【０１７６】
ネットワーク通信マネージャ2045は、(たとえば、1つまたは複数のワイヤードバックホールリンクを介して)コアネットワークとの通信を管理することができる。たとえば、ネットワーク通信マネージャ2045は、1つまたは複数のUE115など、クライアントデバイスのためのデータ通信の転送を管理し得る。
【０１７７】
局間通信マネージャ2050は、他の基地局105との通信を管理し得、他の基地局105と協働してUE115との通信を制御するためのコントローラまたはスケジューラを含み得る。たとえば、局間通信マネージャ2050は、ビームフォーミングまたはジョイント送信などの様々な干渉緩和技法のためのUE115への送信のためのスケジューリングを協調させ得る。いくつかの例では、局間通信マネージャ2050は、基地局105間の通信を行うために、ロングタームエボリューション(LTE)/LTE-Aワイヤレス通信ネットワーク技術内のX2インターフェースを与え得る。
【０１７８】
図21は、本開示の態様による、SSバーストセットパターンをシグナリングするための技法に関する方法2100を示すフローチャートを示す。方法2100の動作は、本明細書で説明するように、UE115またはその構成要素によって実装され得る。たとえば、方法2100の動作は、図13〜図16を参照して説明したように、UE通信マネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１７９】
ブロック2105において、UE115は、SSバーストセットパターンの指示を受信することができる。ブロック2105の動作は、本明細書で説明する方法に従って実行され得る。いくつかの例では、ブロック2105の動作の態様は、図13〜図16を参照して説明したように、SSバーストセットパターンマネージャによって実行され得る。
【０１８０】
ブロック2110において、UE115は、受信された指示に少なくとも部分的に基づいて、1つまたは複数のSSの時間ロケーションを決定することができる。ブロック2110の動作は、本明細書で説明する方法に従って実行され得る。いくつかの例では、ブロック2110の動作の態様は、図13〜図16を参照して説明したように、SSブロックロケーションマネージャによって実行され得る。
【０１８１】
図22は、本開示の態様による、SSバーストセットパターンをシグナリングするための技法に関する方法2200を示すフローチャートを示す。方法2200の動作は、本明細書で説明するように、UE115またはその構成要素によって実装され得る。たとえば、方法2200の動作は、図13〜図16を参照して説明したように、UE通信マネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１８２】
ブロック2205において、UE115は、SSバーストセットパターンの指示を受信することができる。ブロック2205の動作は、本明細書で説明する方法に従って実行され得る。いくつかの例では、ブロック2205の動作の態様は、図13〜図16を参照して説明したように、SSバーストセットパターンマネージャによって実行され得る。
【０１８３】
ブロック2210において、UE115は、受信された指示に少なくとも部分的に基づいて、1つまたは複数のSSの時間ロケーションを決定することができる。ブロック2210の動作は、本明細書で説明する方法に従って実行され得る。いくつかの例では、ブロック2210の動作の態様は、図13〜図16を参照して説明したように、SSブロックロケーションマネージャによって実行され得る。
【０１８４】
ブロック2215において、UE115は、SSバーストセットパターンの受信された指示に少なくとも部分的に基づいて、SSブロックの1つまたは複数のセットを監視するための位置を識別することができる。ブロック2215の動作は、本明細書で説明する方法に従って実行され得る。いくつかの例では、ブロック2215の動作の態様は、図13〜図16を参照して説明したように、SSブロックロケーションマネージャによって実行され得る。
【０１８５】
ブロック2220において、UE115は、SSブロックの1つまたは複数のセットに関して、識別された位置を監視することができる。ブロック2220の動作は、本明細書で説明する方法に従って実行され得る。いくつかの例では、ブロック2220の動作の態様は、図13〜図16を参照して説明したように、SSブロックロケーションマネージャによって実行され得る。
【０１８６】
図23は、本開示の態様による、SSバーストセットパターンをシグナリングするための技法に関する方法2300を示すフローチャートを示す。方法2300の動作は、本明細書で説明するように、UE115またはその構成要素によって実装され得る。たとえば、方法2300の動作は、図13〜図16を参照して説明したように、UE通信マネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１８７】
ブロック2305において、UE115は、SSバーストセットパターンの指示を受信することができる。ブロック2305の動作は、本明細書で説明する方法に従って実行され得る。いくつかの例では、ブロック2305の動作の態様は、図13〜図16を参照して説明したように、SSバーストセットパターンマネージャによって実行され得る。
【０１８８】
ブロック2310において、UE115は、受信された指示に少なくとも部分的に基づいて、1つまたは複数のSSの時間ロケーションを決定することができる。ブロック2310の動作は、本明細書で説明する方法に従って実行され得る。いくつかの例では、ブロック2310の動作の態様は、図13〜図16を参照して説明したように、SSブロックロケーションマネージャによって実行され得る。
【０１８９】
ブロック2315において、UE115は、SSバーストセットパターンの受信された指示に少なくとも部分的に基づいて、SSブロックの1つまたは複数のセットを監視するための位置を識別することができる。ブロック2315の動作は、本明細書で説明する方法に従って実行され得る。いくつかの例では、ブロック2315の動作の態様は、図13〜図16を参照して説明したように、SSブロックロケーションマネージャによって実行され得る。
【０１９０】
ブロック2320において、UE115は、SSバーストセットパターンの受信された指示に少なくとも部分的に基づいて、制御情報を監視するための位置を識別することができる。ブロック2320の動作は、本明細書で説明する方法に従って実行され得る。いくつかの例では、ブロック2320の動作の態様は、図13〜図16を参照して説明したように、制御ロケーションマネージャによって実行され得る。
【０１９１】
ブロック2325において、UE115は、SSブロックの1つまたは複数のセットに関して、識別された位置を監視することができる。ブロック2325の動作は、本明細書で説明する方法に従って実行され得る。いくつかの例では、ブロック2325の動作の態様は、図13〜図16を参照して説明したように、SSブロックロケーションマネージャによって実行され得る。
【０１９２】
ブロック2330において、UE115は、SSブロックの1つまたは複数のセットに関して監視された位置より前のスロット内で制御情報を監視することであって、制御情報が、ダウンリンク制御情報を含む、監視することを行い得る。ブロック2330の動作は、本明細書で説明する方法に従って実行され得る。いくつかの例では、ブロック2330の動作の態様は、図13〜図16を参照して説明したように、制御ロケーションマネージャによって実行され得る。
【０１９３】
図24は、本開示の態様による、SSバーストセットパターンをシグナリングするための技法に関する方法2400を示すフローチャートを示す。方法2400の動作は、本明細書で説明するように、基地局105またはその構成要素によって実装され得る。たとえば、方法2400の動作は、図17〜図20を参照して説明したように、基地局通信マネージャによって実行され得る。いくつかの例では、基地局105は、以下で説明する機能を実行するようにデバイスの機能要素を制御するためのコードのセットを実行し得る。追加または代替として、基地局105は、専用ハードウェアを使用して、以下で説明する機能の態様を実行し得る。
【０１９４】
ブロック2405において、基地局105は、SSバーストセットパターンを識別することであって、SSバーストセットパターンが、SSブロックの1つまたは複数のセットに関する位置を指示する、識別することを行い得る。ブロック2405の動作は、本明細書で説明する方法に従って実行され得る。いくつかの例では、ブロック2405の動作の態様は、図17〜図20を参照して説明したように、SSバーストセットパターンマネージャによって実行され得る。
【０１９５】
ブロック2410において、基地局105は、識別されたSSバーストセットパターンの指示を送信することができる。ブロック2410の動作は、本明細書で説明する方法に従って実行され得る。いくつかの例では、ブロック2410の動作の態様は、図17〜図20を参照して説明したように、SSブロック指示マネージャによって実行され得る。
【０１９６】
ブロック2415において、基地局105は、識別されたSSバーストセットパターンに少なくとも部分的に基づいて、SSブロックの1つまたは複数のセットを送信することができる。ブロック2415の動作は、本明細書で説明する方法に従って実行され得る。いくつかの例では、ブロック2415の動作の態様は、図17〜図20を参照して説明したように、SSブロックロケーションマネージャによって実行され得る。
【０１９７】
図25は、本開示の態様による、SSバーストセットパターンをシグナリングするための技法に関する方法2500を示すフローチャートを示す。方法2500の動作は、本明細書で説明するように、基地局105またはその構成要素によって実装され得る。たとえば、方法2500の動作は、図17〜図20を参照して説明したように、基地局通信マネージャによって実行され得る。いくつかの例では、基地局105は、以下で説明する機能を実行するようにデバイスの機能要素を制御するためのコードのセットを実行し得る。追加または代替として、基地局105は、専用ハードウェアを使用して、以下で説明する機能の態様を実行し得る。
【０１９８】
ブロック2505において、基地局105は、SSバーストセットパターンを識別することであってが、SSバーストセットパターンが、SSブロックの1つまたは複数のセットに関する位置を指示する、識別することを行い得る。ブロック2505の動作は、本明細書で説明する方法に従って実行され得る。いくつかの例では、ブロック2505の動作の態様は、図17〜図20を参照して説明したように、SSバーストセットパターンマネージャによって実行され得る。
【０１９９】
ブロック2510において、基地局105は、識別されたSSバーストセットパターンの指示を送信することができる。ブロック2510の動作は、本明細書で説明する方法に従って実行され得る。いくつかの例では、ブロック2510の動作の態様は、図17〜図20を参照して説明したように、SSブロック指示マネージャによって実行され得る。
【０２００】
ブロック2515において、基地局105は、識別されたSSバーストセットパターンに少なくとも部分的に基づいて、第1のサブキャリア間隔を使用してスロット内で制御情報を送信することであって、SSブロックの1つまたは複数のセットが、第2のサブキャリア間隔を使用してスロット内で送信される、送信することを行い得る。ブロック2515の動作は、本明細書で説明する方法に従って実行され得る。いくつかの例では、ブロック2515の動作の態様は、図17〜図20を参照して説明したように、制御ロケーションマネージャによって実行され得る。
【０２０１】
ブロック2520において、基地局105は、識別されたSSバーストセットパターンに少なくとも部分的に基づいて、SSブロックの1つまたは複数のセットを送信することができる。ブロック2520の動作は、本明細書で説明する方法に従って実行され得る。いくつかの例では、ブロック2520の動作の態様は、図17〜図20を参照して説明したように、SSブロックロケーションマネージャによって実行され得る。
【０２０２】
上記で説明した方法は可能な実装形態を表すこと、動作およびステップが再構成されるかまたはさもなければ変更され得ること、ならびに他の実装形態が可能であることに留意されたい。さらに、方法のうちの2つ以上からの態様が組み合わせられ得る。
【０２０３】
本明細書で説明する技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなど、様々なワイヤレス通信システムのために使用され得る。CDMAシステムは、CDMA2000、ユニバーサル地上波無線アクセス(UTRA)などの無線技術を実装し得る。CDMA2000は、IS-2000規格、IS-95規格、およびIS-856規格を対象とする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、広帯域CDMA(WCDMA(登録商標))、およびCDMAの他の変形形態を含む。TDMAシステムは、モバイル通信用グローバルシステム(GSM(登録商標))などの無線技術を実装してもよい。
【０２０４】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションシステム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明する技法は、上述のシステムおよび無線技術、ならびに他のシステムおよび無線技術に使用され得る。LTEまたはNRシステムの態様が例として説明され得、LTEまたはNRの用語を説明の大部分において使用され得るが、本明細書で説明する技法はLTEまたはNR適用例を越えて適用可能である。
【０２０５】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105に関連付けられ得、スモールセルは、マクロセルと同じまたはマクロセルとは異なる(たとえば、認可、無認可など)周波数帯域において動作し得る。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーし得、フェムトセルとの関連付けを有するUE115(たとえば、限定加入者グループ(CSG)内のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セルをサポートし得、1つまたは複数のコンポーネントキャリアを使用する通信をもサポートし得る。
【０２０６】
本明細書で説明する1つまたは複数のワイヤレス通信システム100は、同期動作または非同期動作をサポートし得る。同期動作の場合、基地局105は、同様のフレームタイミングを有し得、異なる基地局105からの送信は、時間的にほぼ整合され得る。非同期動作の場合、基地局105は、異なるフレームタイミングを有し得、異なる基地局105からの送信は、時間的に整合されないことがある。本明細書で説明する技法は、同期動作または非同期動作のいずれかのために使用され得る。
【０２０７】
本明細書で説明する情報および信号は、多種多様な技術および技法のいずれを使用して表されてもよい。たとえば、上記の説明全体にわたって言及され得るデータ、命令、コマンド、情報、信号、ビット、シンボルおよびチップは、電圧、電流、電磁波、磁場もしくは磁性粒子、光場または光学粒子、またはそれらの任意の組合せによって表され得る。
【０２０８】
本明細書の本開示に関して説明した様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、または状態機械であってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０２０９】
本明細書で説明する機能は、ハードウェア、プロセッサによって実行されるソフトウェア、ファームウェア、またはそれらの任意の組合せとして実装され得る。プロセッサによって実行されるソフトウェアにおいて実装される場合、機能は、1つまたは複数の命令またはコードとして、コンピュータ可読媒体上に記憶され、またはコンピュータ可読媒体を介して送信され得る。他の例および実装形態は、本開示および添付の特許請求の範囲の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装されてもよい。機能を実装する特徴はまた、機能の部分が異なる物理的ロケーションにおいて実装されるように分散されることを含めて、様々な位置に物理的に位置し得る。
【０２１０】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備え得る。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、データをレーザーで光学的に再生する。上記の組合せもコンピュータ可読媒体の範囲内に含まれる。
【０２１１】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される、「に基づいて」という句は、条件の閉集合への参照と解釈されないものとする。たとえば、「条件Aに基づいて」として説明した例示的なステップは、本開示の範囲から逸脱することなく、条件Aと条件Bの両方に基づき得る。言い換えれば、本明細書で使用される「に基づいて」という句は、「に少なくとも部分的に基づいて」という句と同様にして解釈されるものとする。
【０２１２】
添付の図では、同様の構成要素または特徴は同じ参照ラベルを有し得る。さらに、同じタイプの様々な構成要素は、参照ラベルの後に、ダッシュと、それらの同様の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０２１３】
添付の図面に関して本明細書に説明した説明は、例示的な構成を説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明した技法の理解をもたらすための具体的な詳細を含む。しかしながら、これらの技法は、これらの具体的な詳細なしに実践され得る。いくつかの事例では、説明した例の概念を不明瞭にすることを回避するために、よく知られている構造およびデバイスがブロック図の形式で示される。
【０２１４】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明する例および設計に限定されず、本明細書で開示する原理および新規の特徴に合致する最も広い範囲を与えられるべきである。
【符号の説明】
【０２１５】
100  ワイヤレス通信システム
105  基地局
105-a  基地局
110  地理的カバレージエリア
115  UE
115-a  UE
125  通信リンク
130  コアネットワーク
132  バックホール
134  バックホール
200  ワイヤレス通信システム
205  ダウンリンク通信
210  アップリンク通信
215  SSブロック
215-a  第1のSSブロック
215-b  第N-1のSSブロック
220  SSバーストセットパターン
225  PBCH送信
230  SSS送信
235  PSS送信
300  スロット
305  スロット
310  スロット
310-a  スロット
310-b  スロット
400  SSバーストセットパターン
430  時間持続期間
500  SSブロック構成
505  SSブロック
510  SSブロック
600  SSバーストセットパターン
601  SSバーストセットパターン
620  時間持続期間
625  時間持続期間
630  時間持続期間
635  時間持続期間
640  時間持続期間
645  時間持続期間
700  SSバーストセットパターン
701  SSバーストセットパターン
730  時間持続期間
735  時間持続期間
740  時間持続期間
745  時間持続期間
750  時間持続期間
800  SSバーストセットパターン
830  時間持続期間
835  時間持続期間
840  時間持続期間
845  時間持続期間
850  時間持続期間
900  SSバーストセットパターン
901  SSバーストセットパターン
930  時間持続期間
935  時間持続期間
940  時間持続期間
945  時間持続期間
950  時間持続期間
1000  SSバーストセットパターン
1001  SSバーストセットパターン
1050  時間持続期間
1055  時間持続期間
1060  時間持続期間
1065  時間持続期間
1070  時間持続期間
1100  プロセスフロー
1200  プロセスフロー
1300  ブロック図
1305  ワイヤレスデバイス
1310  受信機
1315  UE通信マネージャ
1320  送信機
1400  ブロック図
1405  ワイヤレスデバイス
1410  受信機
1415  UE通信マネージャ
1420  送信機
1425  SSバーストセットパターンマネージャ
1430  SSブロックロケーションマネージャ
1500  ブロック図
1515  UE通信マネージャ
1520  SSバーストセットパターンマネージャ
1525  SSブロックロケーションマネージャ
1530  制御ロケーションマネージャ
1535  アップリンクマネージャ
1600  システム
1605  デバイス
1610  バス
1615  UE通信マネージャ
1620  プロセッサ
1625  メモリ
1630  ソフトウェア
1635  トランシーバ
1640  アンテナ
1645  I/Oコントローラ
1700  ブロック図
1705  ワイヤレスデバイス
1710  受信機
1715  基地局通信マネージャ
1720  送信機
1800  ブロック図
1805  ワイヤレスデバイス
1810  受信機
1815  基地局通信マネージャ
1820  送信機
1825  SSバーストセットパターンマネージャ
1830  SSブロック指示マネージャ
1835  SSブロックロケーションマネージャ
1900  ブロック図
1915  基地局通信マネージャ
1920  SSバーストセットパターンマネージャ
1925  SSブロック指示マネージャ
1930  SSブロックロケーションマネージャ
1935  制御ロケーションマネージャ
2000  システム
2005  デバイス
2010  バス
2015  基地局通信マネージャ
2020  プロセッサ
2025  メモリ
2030  ソフトウェア
2035  トランシーバ
2040  アンテナ
2045  ネットワーク通信マネージャ
2050  局間通信マネージャ
2100  方法
2200  方法
2300  方法
2400  方法
2500  方法
【図１】
2020534738.tif 000003
【図２】
2020534738.tif 000004
【図３】
2020534738.tif 000005
【図４】
2020534738.tif 000006
【図５】
2020534738.tif 000007
【図６Ａ】
2020534738.tif 000008
【図６Ｂ】
2020534738.tif 000009
【図７Ａ】
2020534738.tif 000010
【図７Ｂ】
2020534738.tif 000011
【図８】
2020534738.tif 000012
【図９Ａ】
2020534738.tif 000013
【図９Ｂ】
2020534738.tif 000014
【図１０Ａ】
2020534738.tif 000015
【図１０Ｂ】
2020534738.tif 000016
【図１１】
2020534738.tif 000017
【図１２】
2020534738.tif 000018
【図１３】
2020534738.tif 000019
【図１４】
2020534738.tif 000020
【図１５】
2020534738.tif 000021
【図１６】
2020534738.tif 000022
【図１７】
2020534738.tif 000023
【図１８】
2020534738.tif 000024
【図１９】
2020534738.tif 000025
【図２０】
2020534738.tif 000026
【図２１】
2020534738.tif 000027
【図２２】
2020534738.tif 000028
【図２３】
2020534738.tif 000029
【図２４】
2020534738.tif 000030
【図２５】
2020534738.tif 000031
【国際調査報告】
2020534738.tif 000032
2020534738.tif 000033